(57)【要約】  【課題】優先ユーザの通信端末から送信された制御情報に応じた処理を優先して制御すると共に、その処理負荷を軽減するのに好適な通信システムを提供する。  【解決手段】ＥＰＣネットワーク内に配置されたＥＰＣ−ＧＷは、Ｐ−ＣＳＣＦに向けて中継するＳＩＰメッセージを含むフレームデータに、該メッセージの送信元のＵＥのユーザが優先ユーザであるか否かを識別するための識別情報を付与する。一方、ＩＭＳネットワーク内に配置されたＰ−ＣＳＣＦは、ＥＰＣ−ＧＷからのＳＩＰメッセージを含むフレームデータに付与された識別情報に基づき、該メッセージの送信元のＵＥのユーザが優先ユーザであるか否かを識別し、優先ユーザであると判定すると、他のＣＳＣＦと共に該メッセージに応じた処理を優先して制御する。【選択図】図４
2015023545.tif 000002
【特許請求の範囲】
【請求項１】
アクセスネットワーク内に配置され、かつ、該アクセスネットワークを介して通信端末とサービス制御ネットワークとの間で送受信される前記サービス制御ネットワークに前記通信端末の要求する所定の処理を制御させるための制御情報を中継する中継装置と、前記サービス制御ネットワーク内に配置され、かつ、前記中継装置を介して中継された前記制御情報に基づき前記所定の処理を制御する制御装置と、を含む通信システムであって、
前記中継装置は、
予めユーザ情報保持装置に保持された前記通信端末のユーザが優先ユーザであるか否かを示す情報である優先ユーザ設定情報に基づき、前記通信端末からの前記制御情報に対して、該通信端末のユーザが優先ユーザであるか否かを識別するための識別情報を付与する識別情報付与部を備え、
前記制御装置は、
前記中継装置からの前記制御情報に付与された前記識別情報に基づき、該制御情報の送信元の通信端末のユーザが優先ユーザであるか否かを判定する判定部と、
前記判定部の判定結果に基づき、優先ユーザであると判定したユーザの通信端末からの前記制御情報に応じた前記所定の処理を、優先ユーザでは無いと判定したユーザの通信端末からの前記制御情報に応じた前記所定の処理よりも優先して制御する制御部と、を備えることを特徴とする通信システム。
【請求項２】
アクセスネットワーク内に配置され、かつ、該アクセスネットワークを介して通信端末とサービス制御ネットワークとの間で送受信される前記サービス制御ネットワークに前記通信端末が要求する所定の処理を制御させるための制御情報を中継する中継装置であって、
予めユーザ情報保持装置に保持された前記通信端末のユーザが優先ユーザであるか否かを示す情報である優先ユーザ設定情報に基づき、前記通信端末からの前記制御情報に対して該通信端末のユーザが優先ユーザであるか否かを識別するための識別情報を付与する識別情報付与部を備えることを特徴とする中継装置。
【請求項３】
前記ユーザ情報保持装置に保持された前記優先ユーザ設定情報を含むユーザ情報に基づき前記通信端末の前記アクセスネットワークへの登録処理を制御するようになっており、
前記識別情報付与部は、前記アクセスネットワークへの登録処理時に取得した前記ユーザ情報に含まれる前記優先ユーザ設定情報に基づき、前記通信端末からの前記制御情報に対して前記識別情報を付与することを特徴とする請求項２に記載の中継装置。
【請求項４】
前記アクセスネットワークは、ＩＰ（Internet Protocol）パケットの伝達制御を行うネットワークであり、
前記サービス制御ネットワークは、ＩＭＳ（IP Multimedia Subsystem）通信方式のネットワークであり、
前記制御情報は、ＳＩＰ（Session Initiation Protocol）メッセージであり、
前記識別情報付与部は、前記ＳＩＰメッセージの中継に用いられる階層化された複数の通信プロトコルのうち、予め設定した通信プロトコルのプロトコルヘッダに前記識別情報を付与することを特徴とする請求項３に記載の中継装置。
【請求項５】
アクセスネットワーク内に配置され、かつ、該アクセスネットワークを介して通信端末とサービス制御ネットワークとの間で送受信される前記サービス制御ネットワークに前記通信端末が要求する所定の処理を制御させるための制御情報を中継する中継装置の備えるコンピュータにおいて実行される制御情報中継プログラムであって、
予めユーザ情報保持装置に保持された前記通信端末のユーザが優先ユーザであるか否かを示す情報である優先ユーザ設定情報に基づき、前記通信端末からの前記制御情報に対して該通信端末のユーザが優先ユーザであるか否かを識別するための識別情報を付与する識別情報付与ステップからなる処理をコンピュータに実行させることを特徴とする制御情報中継プログラム。
【請求項６】
アクセスネットワーク内に配置され、かつ、該アクセスネットワークを介して通信端末とサービス制御ネットワークとの間で送受信される前記サービス制御ネットワークに前記通信端末が要求する所定の処理を制御させるための制御情報を中継する中継装置と、前記サービス制御ネットワーク内に配置され、かつ、前記中継装置を介して中継された前記制御情報に基づき前記所定の処理を制御する制御装置とを含む移動通信システムを用いた通信方法であって、
前記中継装置が、予めユーザ情報保持装置に保持された前記通信端末のユーザが優先ユーザであるか否かを設定する優先ユーザ設定情報に基づき、前記通信端末からの前記制御情報に対して、該通信端末のユーザが優先ユーザであるか否かを識別するための識別情報を付与する識別情報付与ステップと、
前記制御装置が、前記中継装置からの前記制御情報に付与された前記識別情報に基づき、該制御情報の送信元の前記通信端末のユーザが優先ユーザであるか否かを判定する判定ステップと、
前記制御装置が、前記判定ステップの判定結果に基づき、優先ユーザであると判定したユーザの通信端末からの前記制御情報に応じた前記所定の処理を、優先ユーザでは無いと判定したユーザの通信端末からの前記制御情報に応じた前記所定の処理よりも優先して制御する制御ステップと、を含むことを特徴とする通信方法。
【発明の詳細な説明】
【技術分野】
【０００１】
本発明は、サービス制御ネットワークへの通信端末の登録を制御する技術に関する。
【背景技術】
【０００２】
ＩＰ（Internet Protocol）技術を用いたマルチメディア通信サービスを提供することを目的として、３ＧＰＰ（3rd Generation Partnership Project）において、ＩＭＳ（IP Multimedia Subsystem）といわれる規格が国際標準として既定されている。この規格の内容は、例えば非特許文献１に記載されている。
ＩＭＳ通信方式のネットワーク（以下、ＩＭＳネットワークという）は、セッション制御機能であるＣＳＣＦ（Call Session Control Function）と、アプリケーションサービス制御機能であるＡＳ（Application Server）と、ユーザ情報蓄積機能であるＨＳＳ（Home Subscriber Server）と、を含んで構成される。
【０００３】
ＣＳＣＦは、Ｐ−ＣＳＣＦ（Proxy-CSCF）、Ｓ−ＣＳＣＦ（Serving-CSCF）及びＩ−ＣＳＣＦ（Interogating-CSCF）の３機能要素に分けられる。以下、Ｐ−ＣＳＣＦ、Ｉ−ＣＳＣＦ及びＳ−ＣＳＣＦを、これらを区別しない場合にＣＳＣＦと呼ぶ場合がある。
Ｐ−ＣＳＣＦは、ＩＭＳネットワークと、該ＩＭＳネットワークと通信端末との間の情報（ＩＰパケット）の伝達制御を行うアクセスネットワークと、の接続点に配置される。そして、アクセスネットワーク内に配置されたＰＤＮ−ＧＷ（Packet Data Network Gateway）と接続し、Ｓ−ＣＳＣＦ及びＩ−ＣＳＣＦと通信端末との間のＳＩＰ信号（ＳＩＰメッセージを含む信号）を中継する。
【０００４】
ここで、アクセスネットワークは、無線アクセスシステムから、ＩＭＳネットワークを含む外部ＰＤＮ（Packet Data Network）との接続点であるＰＤＮ−ＧＷまでの間のＩＰパケットの伝達制御を行うネットワークである。以下、このアクセスネットワークを、ＥＰＣ（Evolved Packet Core）ネットワークという。
【０００５】
Ｓ−ＣＳＣＦは、ＨＳＳ（Home Subscriber Server）から得たユーザ情報を用いてセッション制御や認証を行う。
Ｉ−ＣＳＣＦは、ＩＭＳネットワークへの登録やセッション制御時に、ＨＳＳのユーザ情報に従ってＳ−ＣＳＣＦを選択する。
【０００６】
ＡＳは、通信端末と連携して、各アプリケーションサービスの共通基本制御又は全般の制御を行う。
【０００７】
ＨＳＳは、ＩＭＳネットワークにアクセスする通信端末のユーザ情報を扱うデータベースである。ユーザ情報には、例えば、プライベートユーザ識別子、パブリックユーザ識別子、セッション制御を行うＳ−ＣＳＣＦのアドレス、契約サービス情報などが含まれる。また、契約サービス情報には、契約ユーザが優先ユーザか否かを示す情報等が含まれる。
【０００８】
ＩＭＳ規格に対応する通信端末は、ＩＭＳネットワークと連携してセッション制御及びサービス制御を行う。そのために、Ｐ−ＣＳＣＦを経由してＳ−ＣＳＣＦまでＳＩＰ信号を伝達する経路を確立する必要がある。このように、ＩＭＳネットワークに対して、ＳＩＰ信号の伝達経路を設定することを、通信端末をＩＭＳネットワークに登録（Ｒｅｇｉｓｔｒａｔｉｏｎ）するという。
例えば、通信端末がＬＴＥ（Long Term Evolution）対応の移動通信端末である場合に、この通信端末は、まず、当該通信端末が在圏する無線アクセスシステムを収容するＥＰＣネットワークに接続して、ＩＰパケット（ＳＩＰ信号）の伝達経路を設定する。この処理が、通信端末をＥＰＣネットワークに登録（位置登録）する処理となる。
【０００９】
次に、通信端末は、Ｐ−ＣＳＣＦに対して、該通信端末のＩＰアドレス、プライベートユーザ識別子、パブリックユーザ識別子などを含むＳＩＰの登録用信号であるＲＥＧＩＳＴＥＲメッセージを、ＥＰＣネットワークを介して送信する。
Ｐ−ＣＳＣＦは、ＲＥＧＩＳＴＥＲメッセージを受信すると、任意のＩ−ＣＳＣＦを選択し、選択したＩ−ＣＳＣＦに対してＲＥＧＩＳＴＥＲメッセージを中継する。Ｉ−ＣＳＣＦは、通信端末に対して予め割り当てられたＳ−ＣＳＣＦ又は通信端末に適したＳ−ＣＳＣＦに対してＲＥＧＩＳＴＥＲメッセージを中継する。
【００１０】
Ｓ−ＣＳＣＦは、ＨＳＳに、通信端末のユーザ情報としてＳ−ＣＳＣＦ自身のアドレスを設定し、そのときの応答信号で通信端末の認証ベクトルを引き出す。引き続き、Ｓ−ＣＳＣＦは、この認証ベクトルを用いて、通信端末のユーザ認証を行う。Ｓ−ＣＳＣＦは、通信端末のユーザ認証が成功すると、パブリックユーザ識別子と通信端末のＩＰアドレスとＰ−ＣＳＣＦのアドレスとを対応付けて保持する。そして、このＰ−ＣＳＣＦを、登録完了後にセッション制御を行うときの信号伝達経路（Ｓ−ＣＳＣＦ→Ｐ−ＣＳＣＦ方向）として設定する。
【００１１】
続いて、Ｓ−ＣＳＣＦは、パブリックユーザ識別子について、Ｓ−ＣＳＣＦが割り当て済であることをＨＳＳに通知し、その応答信号によってユーザ情報をＨＳＳから引き出す。Ｓ−ＣＳＣＦはこのユーザ情報を保持し、登録が完了したことをＰ−ＣＳＣＦを経由して、パブリックユーザ識別子を含む２００ＯＫメッセージをもって通信端末に通知する。通信端末はこのパブリックユーザ識別子を用いてその後のセッション制御を行う。
なお、Ｐ−ＣＳＣＦは、２００ＯＫメッセージを受信したときに、Ｓ−ＣＳＣＦのアドレスを保持し、このＳ−ＣＳＣＦを、セッション制御を行うときの信号伝達経路（Ｐ−ＣＳＣＦ→Ｓ−ＣＳＣＦ方向）として設定する。
【００１２】
このようにして、通信端末をＩＭＳネットワークに登録する。
また、従来、ＶＩＰユーザ等の優先ユーザの通信端末からの呼を優先して処理する技術として、例えば、特許文献１に開示された技術がある。かかる技術では、ＩＰ電話網において輻輳が発生時に、優先ユーザのＶｏＩＰ端末から送信される呼を、一般ユーザのＶｏＩＰ端末から送信される呼よりも優先して中継処理する。
【先行技術文献】
【特許文献】
【００１３】
【特許文献１】特開２００８−５２５７号公報
【非特許文献】
【００１４】
【非特許文献１】3GPP TS 23.228 V12.0.0 (2013-03) 3rd Generation Partnership Project;Technical Specification Group Services and System Aspects;IP Multimedia Subsystem (IMS);Stage 2(Release 12)
【発明の概要】
【発明が解決しようとする課題】
【００１５】
上記従来技術において、例えば、図１０に示すように、Ｐ−ＣＳＣＦが輻輳している環境下である場合に、既にＩＭＳネットワークに登録が完了している優先ユーザの通信端末であるＵＥ（User Equipment）ＢからＰ−ＣＳＣＦへとＳＩＰのＩＮＶＩＴＥメッセージが送信されたとする。この場合、Ｐ−ＣＳＣＦは、このＩＮＶＩＴＥメッセージを受信すると、登録処理時にＳ−ＣＳＣＦを介してＨＳＳから取得して保持しているユーザ情報に基づき、ＵＥＢのユーザが優先ユーザであることを識別できる。そのため、このＩＮＶＩＴＥメッセージを破棄等せずに、優先してＳ−ＣＳＣＦに向けて中継する。
【００１６】
一方、Ｐ−ＣＳＣＦが輻輳している環境下において、優先ユーザの通信端末であるＵＥＡが電源ＯＦＦの状態から電源ＯＮとなって、サービス制御ネットワークに初回登録（Ｉｎｉｔｉａｌ  Ｒｅｇｉｓｔｒａｔｉｏｎ）を行うとする。
この場合、上記従来技術では、Ｐ−ＣＳＣＦは、ＵＥＡからのＲＥＧＩＳＴＥＲメッセージを受信すると、予め設定された輻輳発生時のルールに従って、図１０に示すように、受信したＲＥＧＩＳＴＥＲメッセージを中継せずに破棄する場合がある。この場合、ＵＥＡには、ＳＩＰのエラー応答メッセージが返信され、登録処理が実施されない。
【００１７】
つまり、Ｐ−ＣＳＣＦは、初回登録時のＲＥＧＩＳＴＥＲメッセージの受信時において、ＵＥＡのユーザ情報を保持していないため、ＵＥＡから送信されたＲＥＧＩＳＴＥＲメッセージを受信しても、ＵＥＡのユーザが優先ユーザであることを識別することができない。従って、Ｐ−ＣＳＣＦは、ＵＥＡから送信されたＲＥＧＩＳＴＥＲメッセージを、一般ユーザ（優先ユーザではないユーザ）の通信端末からのものと同様に破棄する場合がある。
【００１８】
また、Ｐ−ＣＳＣＦでは、ＩＭＳネットワークへの初回登録後において、受信したＳＩＰメッセージに含まれる端末識別情報に基づき、初回登録時に保持したユーザ情報にアクセスして、受信したＳＩＰメッセージが優先ユーザのＵＥから送信されてきたものか否かを判定している。つまり、受信したＳＩＰ信号のデータ（ＳＩＰメッセージを含むフレームデータ）には優先ユーザか否かを判定する情報が含まれていない。そのため、Ｐ−ＣＳＣＦでは、受信したＳＩＰ信号のみから優先ユーザか否かを判定することはできない。
【００１９】
また、仮に、ＵＥＡにおいて送信するＳＩＰ信号に優先ユーザであることを示す情報を付与して、Ｐ−ＣＳＣＦが、受信したＳＩＰ信号から優先ユーザか否かを判定できるようにしたとしても、情報を付与する段階でユーザが詐称する可能性があるため、信頼できる情報とは言えない。
本発明は、このような課題を解決するためになされたものであり、優先ユーザの通信端末から送信された制御情報に応じた処理を優先して制御すると共に、その処理負荷を軽減するのに好適な通信システム、中継装置、制御情報中継プログラム及び通信方法を提供することを目的としている。
【課題を解決するための手段】
【００２０】
〔形態１〕
上記課題を解決するために、本発明に係る形態１の通信システムは、アクセスネットワーク内に配置され、かつ、該アクセスネットワークを介して通信端末とサービス制御ネットワークとの間で送受信される前記サービス制御ネットワークに前記通信端末が要求する所定の処理を制御させるための制御情報を中継する中継装置と、前記サービス制御ネットワーク内に配置され、かつ、前記中継装置を介して中継された前記制御情報に基づき前記所定の処理を制御する制御装置と、を含む通信システムであって、前記中継装置は、予めユーザ情報保持装置に保持された前記通信端末のユーザが優先ユーザであるか否かを示す情報である優先ユーザ設定情報に基づき、前記通信端末からの前記制御情報に対して、該通信端末のユーザが優先ユーザであるか否かを識別するための識別情報を付与する識別情報付与部を備える。
【００２１】
更に、前記制御装置は、前記中継装置からの前記制御情報に付与された前記識別情報に基づき、該制御情報の送信元の通信端末のユーザが優先ユーザであるか否かを判定する判定部と、前記判定部の判定結果に基づき、優先ユーザであると判定したユーザの通信端末からの前記制御情報に応じた前記所定の処理を、優先ユーザであるとは判定しなかったユーザの通信端末からの前記制御情報に応じた前記所定の処理よりも優先して制御する制御部と、を備える。
このような構成であれば、中継装置は、通信端末からの制御情報を受信すると、識別情報付与部において、ユーザ情報保持装置に予め保持された優先ユーザ設定情報に基づき、該制御情報に対して、その送信元の通信端末のユーザが優先ユーザか否かを識別するための識別情報を付与することが可能である。
【００２２】
また、制御装置は、識別情報の付与された制御情報を受信すると、判定部において、受信した制御情報に付与された識別情報に基づき、該制御情報の送信元の通信端末のユーザが優先ユーザであるか否かを判定することが可能である。
更に、制御装置は、制御部において、この判定結果に基づき、優先ユーザの通信端末からの制御情報に応じた所定の処理を、優先ユーザではないユーザの通信端末からの制御情報に応じた所定の処理よりも優先して制御することが可能である。
【００２３】
例えば、ＩＭＳ通信方式のネットワークのように、通信端末の登録前にＰ−ＣＳＣＦ等の制御装置がユーザ情報を保持していないサービス制御ネットワークに通信端末を初回登録する処理を制御させるとする。その際に、かかる構成であれば、アクセスネットワークにおいて識別情報を付与することができるので、制御装置は、この識別情報から制御情報の送信元の通信端末のユーザが優先ユーザか否かを識別することができる。従って、制御装置は、自己が輻輳している環境下でも、優先ユーザの通信端末に対する登録処理を優先して制御することができるという効果が得られる。
【００２４】
更に、アクセスネットワーク内に配置された中継装置において識別情報を付与するようにしたので、不正ユーザによる優先ユーザの詐称を防ぐことが可能である。これにより、信頼性の高い識別情報に基づき優先制御を実施することができるという効果が得られる。
加えて、サービス制御ネットワークにおいて、制御情報に付与された識別情報から制御情報の送信元の通信端末のユーザが優先ユーザであるか否かを識別することが可能である。これにより、従来のユーザ情報にアクセスして識別する構成と比較して、低負荷な処理で優先ユーザであるか否かを識別することができるという効果が得られる。
【００２５】
ここで、上記所定の処理とは、例えば、通信端末が電話機能を有している場合に、発話時のセッション確立処理、終話時のセッション終了処理、テキストメッセージの送信処理、通信端末をサービス制御ネットワークに登録する登録処理などが該当する。なお、登録処理とは、サービス制御ネットワーク内の、アクセスネットワークとの接続点に配置された制御装置から、制御情報の中継先となる他の制御装置までの制御情報の信号伝達経路を設定する処理のことである。以下、形態２の中継装置、形態５の制御情報中継プログラム及び形態６の通信方法において同じである。
【００２６】
〔形態２〕
また、上記目的を達成するために、本発明に係る形態２の中継装置は、アクセスネットワーク内に配置され、かつ、該アクセスネットワークを介して通信端末とサービス制御ネットワークとの間で送受信される、前記サービス制御ネットワークに該サービス制御ネットワークが提供する所定の処理を実行させるための制御情報を中継する中継装置であって、予めユーザ情報保持装置に保持された前記通信端末のユーザが優先ユーザであるか否かを示す情報である優先ユーザ設定情報に基づき、前記通信端末からの前記制御情報に対して該通信端末のユーザが優先ユーザであるか否かを識別するための識別情報を付与する識別情報付与部を備える。
【００２７】
このような構成であれば、中継装置は、通信端末からの制御情報を受信すると、識別情報付与部において、ユーザ情報保持装置に予め保持された優先ユーザ設定情報に基づき、該制御情報に対して、その送信元の通信端末のユーザが優先ユーザか否かを識別するための識別情報を付与する。
これにより、上記形態１と同様の作用及び効果を得ることができる。
【００２８】
〔形態３〕
更に、形態３の中継装置は、上記形態２の構成に対して、前記ユーザ情報保持装置に保持された前記優先ユーザ設定情報を含むユーザ情報に基づき前記通信端末の前記アクセスネットワークへの登録処理を制御するようになっており、前記識別情報付与部は、前記アクセスネットワークへの登録処理時に取得した前記ユーザ情報に含まれる前記優先ユーザ設定情報に基づき、前記通信端末からの前記制御情報に対して前記識別情報を付与する。
これにより、アクセスネットワークへの登録時に取得したユーザ情報を再利用して識別情報を付与することができるので、ユーザ情報保持装置から優先ユーザ設定情報を再取得する手間を省くことができるという効果が得られる。
【００２９】
ここで、通信端末のアクセスネットワークへの登録とは、通信端末からの制御情報を、アクセスネットワークを介してサービス制御ネットワークの接続点に配置された制御装置へと伝達する信号伝達経路を設定することをいう。なお、通信端末が移動通信端末である場合は、この移動通信端末が在圏する無線アクセスシステムから、サービス制御ネットワークの接続点に配置された制御装置との間の信号伝達経路を設定することになる。
かかる登録処理には、例えば、認証，秘匿，インテグリティ処理、位置登録処理、経路設定処理等が含まれる。
【００３０】
〔形態４〕
更に、形態４の中継装置は、上記形態３の構成に対して、前記アクセスネットワークは、ＩＰパケットの伝達制御を行うネットワークであり、前記サービス制御ネットワークは、ＩＭＳ通信方式のネットワークであり、前記制御情報は、ＳＩＰメッセージであり、前記識別情報付与部は、前記ＳＩＰメッセージの中継に用いられる階層化された複数の通信プロトコルのうち、予め設定した通信プロトコルのプロトコルヘッダに前記識別情報を付与する。
【００３１】
このような構成であれば、識別情報付与部において、ＳＩＰメッセージの中継に用いられる階層化された複数の通信プロトコルのうち、予め設定した通信プロトコルのプロトコルヘッダに識別情報を付与することが可能である。
これにより、既存の通信プロトコルのプロトコルヘッダにある優先度設定用のフィールドや、拡張フィールド、予備フィールド等を利用して、識別情報を付与することが可能となる。従って、実装時のソフトウェアの改良等を最小限に抑えることができるという効果が得られる。
【００３２】
〔形態５〕
一方、上記目的を達成するために、本発明に係る形態５の制御情報中継プログラムは、アクセスネットワーク内に配置され、かつ、該アクセスネットワークを介して通信端末とサービス制御ネットワークとの間で送受信される、前記サービス制御ネットワークに前記通信端末の要求する所定の処理を制御させるための制御情報を中継する中継装置の備えるコンピュータにおいて実行される制御情報中継プログラムであって、予めユーザ情報保持装置に保持された前記通信端末のユーザが優先ユーザであるか否かを示す情報である優先ユーザ設定情報に基づき、前記通信端末からの前記制御情報に対して該通信端末のユーザが優先ユーザであるか否かを識別するための識別情報を付与する識別情報付与ステップからなる処理をコンピュータに実行させる。
このような構成であれば、コンピュータによってプログラムが読み取られ、読み取られたプログラムに従ってコンピュータが処理を実行すると、形態２の中継装置と同等の作用及び効果が得られる。
【００３３】
〔形態６〕
また、上記目的を達成するために、本発明に係る形態６の通信方法は、アクセスネットワーク内に配置され、かつ、該アクセスネットワークを介して通信端末とサービス制御ネットワークとの間で送受信される、前記サービス制御ネットワークに前記通信端末の要求する所定の処理を制御させるための制御情報を中継する中継装置と、前記サービス制御ネットワーク内に配置され、かつ、前記中継装置を介して中継された前記制御情報に基づき前記移動通信端末を前記サービス制御ネットワークに登録する登録処理を制御する制御装置とを含む移動通信システムを用いた通信方法であって、前記中継装置が、予めユーザ情報保持装置に保持された前記通信端末のユーザが優先ユーザであるか否かを設定する優先ユーザ設定情報に基づき、前記通信端末からの前記制御情報に対して、該通信端末のユーザが優先ユーザであるか否かを識別するための識別情報を付与する識別情報付与ステップと、前記制御装置が、前記中継装置からの前記制御情報に付与された前記識別情報に基づき、該制御情報の送信元の前記通信端末のユーザが優先ユーザであるか否かを判定する判定ステップと、前記制御装置が、前記判定ステップの判定結果に基づき、優先ユーザであると判定したユーザの通信端末からの前記制御情報に応じた前記所定の処理を、優先ユーザでは無いと判定したユーザの通信端末からの前記制御情報に応じた前記所定の処理よりも優先して制御する登録処理制御ステップと、を含む。
これによって、形態１の通信システムと同等の作用及び効果が得られる。
【図面の簡単な説明】
【００３４】
【図１】通信システム１の概略構成の一例を示すブロック図である。
【図２】第１実施形態のＥＰＣ−ＧＷの機能構成例を示すブロック図である。
【図３】第１実施形態のＣＳＣＦの機能構成の一例を示すブロック図である。
【図４】識別情報付与処理の処理手順の一例を示すフローチャートである。
【図５】（ａ）は、Ｓ−ＧＷ〜ＰＤＮ−ＧＷ間で送受信されるフレームデータの一例を示す図であり、（ｂ）は、ＰＤＮ−ＧＷ〜Ｐ−ＣＳＣＦ間で送受信されるフレームデータの一例を示す図であり、（ｃ）は、ＭＡＣヘッダに識別情報を付与する一例を示す図であり、（ｄ）は、ＩＰヘッダのＤＳフィールドを利用して識別情報を付与する一例を示す図である。
【図６】第１実施形態の識別情報付与処理の処理手順の一例を示すフローチャートである。
【図７】初回登録制御処理の処理手順の一例を示すフローチャートである。
【図８】優先ユーザのＵＥが電源をＯＦＦ→ＯＮにしてから初回登録処理が完了するまでの動作を示すシーケンス図である。
【図９】第２実施形態の識別情報付与処理の処理手順の一例を示すフローチャートである。
【図１０】Ｐ−ＣＳＣＦが輻輳している環境下での従来の初回登録時の動作例を示すシーケンス図である。
【発明を実施するための形態】
【００３５】
（第１実施形態）
以下、図面に基づき、本発明に係る通信システム、中継装置、制御情報中継プログラム及び通信方法の第１実施形態を説明する。
（１）構成
（１−１）通信システム１の構成例
まず、図１に基づき、本発明に係る通信システム１の構成を説明する。図１は、通信システム１の概略構成の一例を示すブロック図である。
本実施形態において、通信システム１は、図１に示すように、ＵＥと、無線アクセスシステムと、３Ｇ（3rd Generation）コアネットワークと、ＥＰＣネットワークと、ＩＭＳネットワークとを含んで構成される。
【００３６】
ＵＥは、本実施形態において、３Ｇ対応の移動通信端末、３Ｇ及びＬＴＥの双方に対応する移動通信端末、ＬＴＥ対応の移動通信端末など、ＩＭＳ及びＥＰＣネットワークに対応した移動通信端末である。
無線アクセスネットワークは、３Ｇ無線アクセスシステムを構成するＮｏｄｅＢ及びＲＮＣ（Radio Network Controller）と、ＬＴＥ無線アクセスシステムを構成するｅＮｏｄｅＢとを含んで構成される。なお、この構成に限らず、ＷｉＭＡＸ（登録商標）アクセスシステムや、ＷＬＡＮ（Wireless LAN）アクセスシステムなど非セルラー無線アクセスシステムを含む構成としてもよい。
【００３７】
ＮｏｄｅＢ（以下、ＮＢと略記する）は、３Ｇ無線アクセスシステムを構成するノードであり、３Ｇ対応のＵＥと無線信号の送受信を行う無線基地局である。
ＲＮＣは、複数のＮＢを収容し、３Ｇ無線アクセスシステム内での位置登録、一斉呼び出しなどの移動管理を行う無線制御装置である。
ｅＮｏｄｅＢ（以下、ｅＮＢと略記する場合がある）は、ＬＴＥ無線アクセスシステムを構成するノードであり、ＬＴＥ対応のＵＥと無線信号の送受信を行う無線基地局である。ｅＮＢは、ＵＥからの制御信号をＭＭＥ（Mobility Management Entity）に転送し、ＵＥからのＩＰパケットをＳ−ＧＷ（Serving Gateway）に転送する無線制御装置の役割も果たす。
【００３８】
３Ｇコアネットワークは、ＳＧＳＮ（Serving GPRS Support Node）と、ＧＧＳＮ（Gateway GPRS Support Node）とを含んで構成される。
ＳＧＳＮは、３Ｇ対応のＵＥ及び３Ｇ無線アクセスシステムを収容するパケット交換ドメインノードである。ＳＧＳＮは、ＥＰＣコアネットワーク内に配置された、ＭＭＥと、Ｓ−ＧＷとに接続されている。また、ＳＧＳＮは、ＥＰＣコアネットワーク及びＩＭＳネットワークで共用されるＨＳＳと接続されている。
【００３９】
ＧＧＳＮは、ＥＰＣコアネットワーク以外の他のパケットネットワークとの接続点となるパケット交換ドメインノードである。
なお、３Ｇ無線アクセスネットワーク及び３Ｇコアネットワークの詳細は、「3GPP TS 23.002 Network architecture(http://www.3gpp.org/ftp/Specs/html-info/23002.htm)」に詳しく記載されている。
【００４０】
ＥＰＣコアネットワークは、ＭＭＥと、Ｓ−ＧＷと、ＰＤＮ−ＧＷと、ＰＣＲＦ（Policy and Charging Rules Function）と、を含んで構成される。
ＭＭＥは、ＬＴＥ無線アクセスシステムの無線ゾーンに在圏するＬＴＥ対応のＵＥとインターフェースを持ち、ＵＥの移動管理、ＵＥの認証及びＵＥとのＩＰ伝達経路の設定制御を行う。ＭＭＥは、ＵＥの移動管理及び認証を、ＨＳＳと連携して行う。更に、ＭＭＥは、ＵＥが送受信するＩＰパケットの伝達経路の設定を、ｅＮｏｄｅＢ及びＳ−ＧＷに対して行う。
【００４１】
Ｓ−ＧＷは、ＭＭＥの指令に基づいてＩＰパケットの伝達制御を行う。具体的には、Ｓ−ＧＷは、ＵＥがＬＴＥ無線アクセスシステムの無線ゾーンに在圏する場合、ｅＮｏｄｅＢ〜Ｓ−ＧＷ〜ＰＤＮ−ＧＷの区間にＩＰパケットの伝達経路を設定する。また、Ｓ−ＧＷは、ＵＥが３Ｇ無線アクセスシステムの無線ゾーンに在圏する場合、ＳＧＳＮ〜Ｓ−ＧＷ〜ＰＤＮ−ＧＷの区間にＩＰパケットの伝達経路を設定する。
Ｓ−ＧＷは、ＵＥからのＳＩＰメッセージを受信したと判定すると、該ＳＩＰメッセージをＰＤＮ−ＧＷへと中継する。
【００４２】
加えて、本実施形態のＳ−ＧＷは、ＵＥからの初回登録時のＲＥＧＩＳＴＥＲメッセージなどのＳＩＰメッセージを含むＩＰパケットを受信すると、ＥＰＣネットワークへの登録時に取得して保持しているユーザ情報に基づき、該ＩＰパケットをＰＤＮ−ＧＷへと中継時のフレームデータに対して、該ＵＥのユーザが優先ユーザであるか否かを識別するための識別情報を付与する。
ここで、優先ユーザとは、例えば、ＶＩＰユーザ等の通信事業者が優先処理をするユーザとして認定したユーザである。
【００４３】
また、初回登録時のＲＥＧＩＳＴＥＲメッセージは、例えば、ＵＥの電源をＯＦＦからＯＮにしたときに送信されるメッセージであり、このＵＥをＩＭＳネットワークに登録するためのＳＩＰのリクエストメッセージである。
ＰＤＮ−ＧＷは、ＩＭＳネットワーク、インターネットなどのＰＤＮとの接続点である。ＰＤＮからＵＥへのＩＰパケットは、全てＰＤＮ−ＧＷに到達する。
【００４４】
ＰＤＮ−ＧＷは、Ｓ−ＧＷからのＳＩＰメッセージを含むフレームデータを受信すると、該フレームデータに付与された識別情報を抽出する。そして、ＰＤＮ−ＧＷは、抽出した識別情報に基づき、該ＳＩＰメッセージをＰ−ＣＳＣＦへと中継時のフレームデータに対して、該ＵＥのユーザが優先ユーザであるか否かを識別するための識別情報を付与する。
以下、Ｓ−ＧＷ及びＰＤＮ−ＧＷは、両者を区別しない場合にＥＰＣ−ＧＷと呼ぶ場合がある。
【００４５】
ＰＣＲＦは、Ｓ−ＧＷ及びＰＤＮ−ＧＷのＩＰパケットの伝達品質制御を行うための、ＱｏＳ（Quality of Service）、課金方法などのＩＰパケット伝達ポリシーを決定する。
ＰＣＲＦは、ユーザの契約情報やユーザが起動するアプリケーションの種別により、ユーザのパケット伝達に適用すべきポリシー情報（ＱｏＳ優先度クラス情報や、ゲート情報）や課金情報などをルールとして決定する。そして、ポリシー情報及び課金情報を含む決定したルールを、このルールを適用するＩＰパケットを指定する情報と共にＳ−ＧＷ及びＰＤＮ−ＧＷに送信する。
【００４６】
本実施形態のＰ−ＣＳＣＦは、従来の機能に加えて、ＰＤＮ−ＧＷからＳＩＰメッセージを含むフレームデータを受信すると、該受信したフレームデータに付与された識別情報に基づき、ＳＩＰメッセージの送信元のＵＥのユーザが優先ユーザであるか否かを判定する。Ｐ−ＣＳＣＦは、ＵＥのユーザが優先ユーザであると判定すると、このＳＩＰメッセージに応じた処理の制御を、優先ユーザではないユーザ（以下、一般ユーザという）のＵＥよりも優先して行う。
具体的には、Ｐ−ＣＳＣＦは、自己が輻輳状態である場合でも、優先ユーザのＵＥからのＳＩＰメッセージを、破棄等することなくＩ−ＣＳＣＦへと送信する。一方、Ｐ−ＣＳＣＦは、一般ユーザのＵＥからのＳＩＰメッセージについては、予め設定された輻輳時のルールに従って破棄等する。
【００４７】
加えて、本実施形態のＰ−ＣＳＣＦは、受信したフレームデータに付与された識別情報に基づき、Ｉ−ＣＳＣＦへと送信するＳＩＰメッセージを含むフレームデータに対して、該ＳＩＰメッセージの送信元のＵＥのユーザが優先ユーザであるか否かを識別可能な情報（以下、優先度情報という）を付与する。
具体的には、本実施形態のＰ−ＣＳＣＦは、例えば、ＳＩＰメッセージの「ｆｒｏｍ」ヘッダに含まれるＣＰＣ（Calling Party's Category）パラメータの値を用いて優先度情報を付与する。
【００４８】
本実施形態のＩ−ＣＳＣＦは、従来の機能に加えて、Ｐ−ＣＳＣＦから送信されたＳＩＰメッセージを含むフレームデータを受信すると、該受信したフレームデータに含まれるＳＩＰメッセージに付与された優先度情報に基づき、ＳＩＰメッセージの送信元のＵＥのユーザが優先ユーザであるか否かを判定する。Ｉ−ＣＳＣＦは、ＵＥのユーザが優先ユーザであると判定すると、このＳＩＰメッセージに応じた処理の制御を、一般ユーザのＵＥよりも優先して行う。
具体的には、Ｉ−ＣＳＣＦは、自己が輻輳状態である場合でも、優先ユーザのＵＥからのＳＩＰメッセージを、破棄等することなくＳ−ＣＳＣＦへと送信する。一方、Ｉ−ＣＳＣＦは、一般ユーザのＵＥからのＳＩＰメッセージについては、予め設定された輻輳時のルールに従って破棄等する。
【００４９】
本実施形態のＳ−ＣＳＣＦは、従来の機能に加えて、Ｉ−ＣＳＣＦからのＳＩＰメッセージを含むフレームデータを受信すると、該受信したフレームデータに含まれるＳＩＰメッセージに付与された優先度情報に基づき、このＳＩＰメッセージの送信元のＵＥのユーザが優先ユーザであるか否かを判定する。Ｓ−ＣＳＣＦは、ＵＥのユーザが優先ユーザであると判定すると、このＳＩＰメッセージに応じた処理の制御を、一般ユーザのＵＥよりも優先して行う。
【００５０】
具体的には、Ｓ−ＣＳＣＦは、自己が輻輳状態である場合でも、優先ユーザのＵＥからのＳＩＰメッセージに応じた処理（例えば、登録処理やＳＩＰメッセージの中継処理など）を中止等することなく行う。一方、Ｓ−ＣＳＣＦは、自己が輻輳状態である場合に、一般ユーザのＵＥからのＳＩＰメッセージに応じた処理を、予め設定された輻輳状態時のルールに従って中止等する。
また、本実施形態のＡＳは、従来と同様の機能を備えたものである。
一方、ＥＰＣネットワーク及びＩＭＳネットワークの双方で共用される、本実施形態のＨＳＳは、従来と同様の機能を備えたものである。
【００５１】
（１−２）ＥＰＣ−ＧＷ（Ｓ−ＧＷ及びＰＤＮ−ＧＷ）の機能構成例
次に、図２に基づき、本実施形態のＥＰＣ−ＧＷの機能構成を説明する。図２は、本実施形態のＥＰＣ−ＧＷの機能構成例を示すブロック図である。図２は、ＥＰＣ−ＧＷのうち本実施形態に係る構成要素のみを示している。
図２に示すように、ＥＰＣ−ＧＷは、受信部１０と、データ転送部１１と、識別情報付与部１２と、送信部１３とを含んで構成される。
Ｓ−ＧＷの受信部１０は、ＳＧＳＮ又はｅＮＢから送信された、ＩＰパケットとしてカプセリングされたＳＩＰメッセージ等を受信するように構成されている。更に、Ｓ−ＧＷの受信部１０は、ＰＤＮ−ＧＷから送信された、ＩＰパケットとしてカプセリングされたＳＩＰメッセージ等を受信するように構成されている。
【００５２】
具体的には、Ｓ−ＧＷの受信部１０は、ｅＮＢから送信された、例えば、「ＲＥＧＩＳＴＥＲ」メッセージ、「ＩＮＶＩＴＥ」メッセージ、「ＭＥＳＳＡＧＥ」メッセージ等のＳＩＰメッセージをデータ部に含むＩＰｖ６又はＩＰｖ４パケットをカプセリングしたＩＰｖ４パケットを受信するように構成されている。また、Ｓ−ＧＷの受信部１０は、ＰＤＮ−ＧＷから送信された、例えば、「２００ＯＫ」メッセージ、「４０１  Ｕｎａｕｔｈｏｒｉｚｅｄ」メッセージ等のＳＩＰメッセージをデータ部に含むＩＰｖ６又はＩＰｖ４パケットをカプセリングしたＩＰｖ４パケットを受信するように構成されている。
【００５３】
ここで、ｅＮＢとＳ−ＧＷとの間では、例えばＳＩＰメッセージ等をデータ部に含むＩＰｖ６又はＩＰｖ４パケットを、ＩＰｖ４のプライベートアドレス及びＴＥＩＤ（Tunnel Endpoint Identifier）によってカプセリングしてＩＰｖ４パケットとして送受信するようになっている。
また、Ｓ−ＧＷとＰＤＮ−ＧＷとの間では、例えばＳＩＰメッセージ等をデータ部に含むＩＰｖ６又はＩＰｖ４パケットを、ＩＰｖ４のプライベートアドレス及びＧＲＥ（Generic Routing Encapsulation））  ＫｅｙによってカプセリングしてＩＰｖ４パケットとして送受信するようになっている。
【００５４】
以下、本実施形態では、ＳＩＰメッセージをデータ部に含むＩＰｖ６パケットをＩＰｖ４パケットでカプセリングする場合を例に挙げて説明する。
Ｓ−ＧＷの受信部１０は、ｅＮＢから送信された、ＳＩＰメッセージをデータ部に含むＩＰｖ６パケットをカプセリングしたＩＰｖ４パケットを含むフレームデータ（以下、フレームデータＵＳＧという）を受信すると、受信したフレームデータＵＳＧを、Ｓ−ＧＷのデータ転送部１１に出力する。
【００５５】
Ｓ−ＧＷのデータ転送部１１は、入力されたフレームデータＵＳＧに含まれるＩＰｖ４パケットから、カプセリングされたＩＰｖ６パケットを取り出す。そして、宛先として予め設定されたＰＤＮ−ＧＷのＩＰｖ４アドレスを宛先アドレスとして設定し、ＰＤＮ−ＧＷが割り当てたＧＲＥ  Ｋｅｙを付加して、ＩＰｖ６パケットを再度カプセリングする。そして、このＩＰｖ４パケットを含むフレームデータ（以下、フレームデータＵＰＧという）を生成する。
そして、Ｓ−ＧＷのデータ転送部１１は、生成したフレームデータＵＰＧをＳ−ＧＷの識別情報付与部１２に出力する。
【００５６】
また、Ｓ−ＧＷのデータ転送部１１は、ＰＤＮ−ＧＷから送信（中継）された、ＳＩＰメッセージをデータ部に含むＩＰｖ６パケットをカプセリングしたＩＰｖ４パケットを含むフレームデータ（以下、フレームデータＤＳＧという）を受信する。そして、Ｓ−ＧＷのデータ転送部１１は、受信したフレームデータＤＳＧに含まれるＩＰｖ４パケットから、カプセリングされたＩＰｖ６パケットを取り出す。更に、Ｓ−ＧＷのデータ転送部１１は、取り出したＩＰｖ６パケットに対して宛先のｅＮＢのＩＰｖ４アドレスを宛先アドレスとして設定し、ｅＮＢが割り当てたＴＥＩＤを付加して、ＩＰｖ６パケットを再度ＩＰｖ４パケットでカプセリングする。そして、Ｓ−ＧＷのデータ転送部１１は、このＩＰｖ４パケットを含むフレームデータ（以下、フレームデータＤＮＢという）を生成する。Ｓ−ＧＷのデータ転送部１１は、生成したフレームデータＤＮＢをＳ−ＧＷの送信部１３へと出力する。
【００５７】
一方、Ｓ−ＧＷの識別情報付与部１２は、Ｓ−ＧＷのデータ転送部１１からフレームデータＵＰＧが入力されると、該フレームデータＵＰＧに含まれるＳＩＰメッセージの送信元のＵＥのユーザに対応する優先ユーザ設定情報を、不図示のメモリから取得する。
ここで、優先ユーザ設定情報は、ＨＳＳに保持されたユーザ情報に含まれる契約ユーザが優先ユーザであるか否かを示す情報である。Ｓ−ＧＷ及びＰＤＮ−ＧＷは、ＵＥをＥＰＣネットワークに登録時において、優先ユーザ設定情報を含むユーザ情報を取得し、該取得したユーザ情報をメモリに保持している。
【００５８】
Ｓ−ＧＷの識別情報付与部１２は、優先ユーザ設定情報を取得すると、該優先ユーザ設定情報に基づき、ＳＩＰメッセージの送信元のＵＥのユーザが優先ユーザであるか否かを判定する。Ｓ−ＧＷの識別情報付与部１２は、この判定結果に基づき、ＳＩＰメッセージを含むフレームデータＵＰＧに、該ＳＩＰメッセージの送信元のＵＥのユーザが優先ユーザであるか否かを識別するための識別情報を付与する。
本実施形態では、Ｓ−ＧＷの識別情報付与部１２は、フレームデータＵＰＧを構成する各レイヤに対応する通信プロトコルのプロトコルヘッダのうち、予め設定したレイヤに対応する通信プロトコルのプロトコルヘッダに識別情報を付与するように構成されている。
【００５９】
Ｓ−ＧＷの識別情報付与部１２は、識別情報を付与したフレームデータＵＰＧ（以下、フレームデータＵＰＧＩという）を、Ｓ−ＧＷの送信部１３に出力する。
Ｓ−ＧＷの送信部１３は、Ｓ−ＧＷの識別情報付与部１２から入力されたフレームデータＵＰＧＩをＩＰｖ４の宛先アドレスが示すＰ−ＣＳＣＦに送信する。加えて、Ｓ−ＧＷの送信部１３は、Ｓ−ＧＷのデータ転送部１１から入力されたフレームデータをＩＰｖ４の宛先アドレスが示す宛先（ｅＮＢ，ＳＧＳＮ）に送信する。
【００６０】
一方、ＰＤＮ−ＧＷの受信部１０は、Ｓ−ＧＷから送信された、フレームデータＵＰＧＩを受信するように構成されている。更に、Ｐ−ＣＳＣＦから送信された例えばＳＩＰメッセージ等を含むフレームデータを受信するように構成されている。
具体的には、ＰＤＮ−ＧＷの受信部１０は、Ｓ−ＧＷから送信された、例えばＳＩＰの「ＲＥＧＩＳＴＥＲ」メッセージ、「ＩＮＶＩＴＥ」メッセージ、「ＭＥＳＳＡＧＥメッセージ」等のＳＩＰメッセージをデータ部に含むフレームデータＵＰＧＩを受信するように構成されている。また、ＰＤＮ−ＧＷの受信部１０は、Ｐ−ＣＳＣＦから送信された、例えば、「４０１  Ｕｎａｕｔｈｏｒｉｚｅｄ」メッセージや「２００ＯＫ」メッセージ等のＳＩＰメッセージを含むフレームデータを受信するように構成されている。
【００６１】
ＰＤＮ−ＧＷの受信部１０は、Ｓ−ＧＷから送信された、フレームデータＵＰＧＩを受信すると、受信したフレームデータＵＰＧＩをＰＤＮ−ＧＷのデータ転送部１１に出力する。
ＰＤＮ−ＧＷのデータ転送部１１は、入力されたフレームデータＵＰＧＩに含まれるＩＰｖ４パケットからカプセリングされたＩＰｖ６パケットを取り出す。そして、ＰＤＮ−ＧＷのデータ転送部１１は、取り出したＩＰｖ６パケットを含むフレームデータＵＣＦを生成する。具体的には、ＰＤＮ−ＧＷのデータ転送部１１は、宛先として指定されたＰ−ＣＳＣＦのＩＰｖ６グローバルアドレスを宛先としたフレームデータＵＣＦを生成する。
【００６２】
このとき、ＰＤＮ−ＧＷのデータ転送部１１は、入力されたフレームデータＵＰＧＩの予め設定されたレイヤに対応する通信プロトコルのプロトコルヘッダに含まれる識別情報を抽出し、抽出した識別情報と生成したフレームデータＵＣＦとをＰＳＮ−ＧＷの識別情報付与部１２に出力する。
また、ＰＤＮ−ＧＷのデータ転送部１１は、Ｐ−ＣＳＣＦから送信（中継）された、ＳＩＰメッセージをデータ部に含むＩＰｖ６パケットを受信すると、Ｓ−ＧＷのＩＰｖ４アドレスを宛先アドレスとして設定し、Ｓ−ＧＷが割り当てたＧＲＥ  Ｋｅｙを付加して、ＩＰｖ６パケットをカプセリングする。そして、このＩＰｖ４パケットを含むフレームデータ（フレームデータＤＳＧ）を生成する。ＰＤＮ−ＧＷのデータ転送部１１は、生成したフレームデータＤＳＧをＰＤＮ−ＧＷの送信部１３へと出力する。
【００６３】
ＰＤＮ−ＧＷの識別情報付与部１２は、ＰＤＮ−ＧＷのデータ転送部１１から、識別情報及びフレームデータＵＣＦが入力されると、入力された識別情報に基づき、フレームデータＵＣＦに含まれるＳＩＰメッセージの送信元のＵＥのユーザが優先ユーザであるか否かを判定する。ＰＤＮ−ＧＷの識別情報付与部１２は、この判定結果に基づき、ＳＩＰメッセージを含むフレームデータＵＣＦに、該ＳＩＰメッセージの送信元のＵＥのユーザが優先ユーザであるか否かを識別するための識別情報を付与する。
【００６４】
本実施形態では、ＰＤＮ−ＧＷの識別情報付与部１２は、フレームデータＵＣＦを構成する各レイヤに対応する通信プロトコルのプロトコルヘッダのうち、Ｓ−ＧＷが識別情報を付与したレイヤに対応するプロトコルヘッダと同じ又は同等のプロトコルヘッダに識別情報を付与するように構成されている。
ＰＤＮ−ＧＷの識別情報付与部１２は、識別情報を付与したフレームデータＵＣＦ（以下、第１フレームデータＵＣＦＩという）を、ＰＤＮ−ＧＷの送信部１３に出力する。
【００６５】
ＰＤＮ−ＧＷの送信部１３は、ＰＤＮ−ＧＷの識別情報付与部１２から入力された第１フレームデータＵＣＦＩをＩＰヘッダの宛先アドレスが示すＰ−ＣＳＣＦへと送信する。
また、ＰＤＮ−ＧＷの送信部１３は、ＰＤＮ−ＧＷのデータ転送部１１から入力されたフレームデータＤＳＧをＩＰヘッダの宛先アドレスが示すＳ−ＧＷへと送信する。
また、図示しないが、ＥＰＣ−ＧＷは、上記各機能を、ソフトウェアを用いて実現するため、及び各機能の実現に必要なハードウェアを制御するソフトウェアを実行するためのコンピュータシステムを備えている。
【００６６】
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、ＥＰＣ−ＧＷは、入出力Ｉ／Ｆを介して接続された、記憶装置、表示装置、入力装置、及び通信装置を備えている。
【００６７】
（１−３）ＣＳＣＦ（Ｐ−ＣＳＣＦ、Ｉ−ＣＳＣＦ及びＳ−ＣＳＣＦ）の機能構成例
次に、図３に基づき、本実施形態のＣＳＣＦの機能構成を説明する。図３は、本実施形態のＣＳＣＦの機能構成の一例を示すブロック図である。図３は、ＣＳＣＦ（Ｐ−ＣＳＣＦ、Ｉ−ＣＳＣＦ及びＳ−ＣＳＣＦ）のうち本実施形態に係る構成要素のみを示している。
図３に示すように、ＣＳＣＦは、受信部２０と、ＳＩＰメッセージ処理部２１と、送信部２４と、を含んで構成される。
ＳＩＰメッセージ処理部２１は、判定部２２と、制御部２３と、を含んで構成される。
【００６８】
Ｐ−ＣＳＣＦの受信部２０は、ＰＤＮ−ＧＷから送信される第１フレームデータＵＣＦＩを受信するように構成されている。更に、Ｐ−ＣＳＣＦの受信部２０は、Ｉ−ＣＳＣＦから送信されるＳＩＰメッセージを含むフレームデータを受信するように構成されている。
具体的には、Ｐ−ＣＳＣＦの受信部２０は、例えば、ＰＤＮ−ＧＷから送信される、「ＲＥＧＩＳＴＥＲ」メッセージ、「ＩＮＶＩＴＥ」メッセージ、「ＭＥＳＳＡＧＥ」メッセージ等のＳＩＰメッセージを含む第１フレームデータＵＣＦＩを受信する。また、Ｐ−ＣＳＣＦの受信部２０は、例えば、Ｉ−ＣＳＣＦから送信される、「４０１  Ｕｎａｕｔｈｏｒｉｚｅｄ」メッセージや「２００ＯＫ」メッセージ等のＳＩＰメッセージを含むフレームデータを受信する。
【００６９】
Ｐ−ＣＳＣＦの受信部２０は、ＰＤＮ−ＧＷから送信される、第１フレームデータＵＣＦＩを受信すると、受信した第１フレームデータＵＣＦＩを、Ｐ−ＣＳＣＦのＳＩＰメッセージ処理部２１に出力する。
Ｐ−ＣＳＣＦのＳＩＰメッセージ処理部２１は、判定部２２において、入力された第１フレームデータＵＣＦＩの予め設定したプロトコルヘッダに含まれる識別情報に基づき、ＳＩＰメッセージの送信元のＵＥのユーザが優先ユーザであるか否かを判定する。Ｐ−ＣＳＣＦの判定部２２は、この判定結果及び第１フレームデータＵＣＦＩを、Ｐ−ＣＳＣＦの制御部２３に出力する。
【００７０】
Ｐ−ＣＳＣＦの制御部２３は、Ｐ−ＣＳＣＦの判定部２２から、判定結果及び第１フレームデータＵＣＦＩが入力されると、判定結果に基づき、該第１フレームデータＵＣＦＩに含まれるＳＩＰメッセージに応じた処理を制御する。
具体的には、Ｐ−ＣＳＣＦの制御部２３は、優先ユーザであると判定したＵＥからのＳＩＰメッセージに応じた処理を、一般ユーザであると判定したＵＥからのＳＩＰメッセージに応じた処理よりも優先して制御する優先制御を実施する。例えば、Ｐ−ＣＳＣＦの制御部２３は、Ｐ−ＣＳＣＦが輻輳状態にあるときに、優先ユーザのＵＥからのＳＩＰメッセージを破棄等せずに優先してＩ−ＣＳＣＦへと送信（中継）する制御を実施する。
【００７１】
一方、Ｐ−ＣＳＣＦの制御部２３は、一般ユーザである（優先ユーザではない）と判定したＵＥからのＳＩＰメッセージに応じた処理については、一般ユーザに対して予め設定した通常の制御である通常制御を実施する。例えば、Ｐ−ＣＳＣＦが輻輳状態にあるときに、一般ユーザのＵＥからのＳＩＰメッセージを、予め設定された輻輳時のルールに従って破棄等する制御を実施する。
また、Ｐ−ＣＳＣＦの制御部２３は、Ｐ−ＣＳＣＦが輻輳状態であるか否かに関わらず、選択したＩ−ＣＳＣＦを宛先に設定した、優先ユーザのＵＥからのＳＩＰメッセージを含むフレームデータを、一般ユーザのＵＥのものに優先してＰ−ＣＳＣＦの送信部２４に出力する。
【００７２】
このとき、Ｐ−ＣＳＣＦの制御部２３は、第１フレームデータＵＣＦＩの予め設定したプロトコルヘッダに付与された識別情報に基づき、送信するＳＩＰメッセージのｆｒｏｍヘッダに含まれるＣＰＣパラメータの値を設定する。
具体的には、Ｐ−ＣＳＣＦの制御部２３は、ＳＩＰメッセージの送信元のＵＥのユーザが優先ユーザであると判定すると、ＣＰＣパラメータの値を、予め設定された優先ユーザを示す値に設定する。そして、このＳＩＰメッセージを含むフレームデータをＰ−ＣＳＣＦの送信部２４に出力する。
【００７３】
一方、Ｐ−ＣＳＣＦの制御部２３は、Ｐ−ＣＳＣＦが輻輳状態のときに、一般ユーザのＵＥからのＳＩＰメッセージについて、輻輳時のルールに基づき、該ＳＩＰメッセージが破棄の対象であると判定すると、該ＳＩＰメッセージを含む第１フレームデータＵＣＦＩを破棄する。この場合、Ｐ−ＣＳＣＦの制御部２３は、送信元のＵＥを宛先に含むＳＩＰのエラー応答メッセージをＰ−ＣＳＣＦの送信部２４に出力する。
また、Ｐ−ＣＳＣＦの制御部２３は、一般ユーザのＵＥからのＳＩＰメッセージについて、破棄対象とならなかった場合、予め選択したＩ−ＣＳＣＦを宛先に設定した、該メッセージを含むフレームデータをＰ−ＣＳＣＦの送信部２４に出力する。
【００７４】
このとき、Ｐ−ＣＳＣＦの制御部２３は、予め設定したプロトコルヘッダに付与された識別情報に基づき、送信するＳＩＰメッセージのｆｒｏｍヘッダに含まれるＣＰＣパラメータの値を設定する。具体的には、ＣＰＣパラメータの値を、予め設定された一般ユーザを示す値に設定する。Ｐ−ＣＳＣＦの制御部２３は、このＳＩＰメッセージを含むフレームデータをＰ−ＣＳＣＦの送信部２４に出力する。
以下、上記ＣＰＣパラメータの値が優先ユーザ又は一般ユーザを示す値に設定されたＳＩＰメッセージを含むフレームデータを、両者を区別せずに第２フレームデータＵＣＦＩという。
【００７５】
Ｐ−ＣＳＣＦの送信部２４は、入力されたＰＤＮ−ＧＷからのＳＩＰメッセージを含むフレームデータ（第２フレームデータＵＣＦＩ）を、設定された宛先のＩ−ＣＳＣＦに送信する。また、Ｐ−ＣＳＣＦの送信部２４は、入力されたＩ−ＣＳＣＦからのＳＩＰメッセージを含むフレームデータを、設定された宛先のＰＤＮ−ＧＷに送信する。このとき、Ｐ−ＣＳＣＦの送信部２４は、優先ユーザのＵＥからのＳＩＰメッセージを含むフレームデータを、一般ユーザのＵＥのものに優先して宛先に送信する。
【００７６】
次に、Ｉ−ＣＳＣＦの受信部２０は、Ｐ−ＣＳＣＦから送信される、ＳＩＰメッセージを含むフレームデータ（第２フレームデータＵＣＦＩ）を受信するように構成されている。更に、Ｉ−ＣＳＣＦの受信部２０は、ＨＳＳから送信される、Ｄｉａｍｅｔｅｒ  Ｂａｓｅ  Ｐｒｏｔｏｃｏｌ（以下、ＤＢＰという）メッセージを含むフレームデータを受信するように構成されている。なお更に、Ｉ−ＣＳＣＦの受信部２０は、Ｓ−ＣＳＣＦから送信される、ＳＩＰメッセージを含むフレームデータを受信するように構成されている。
【００７７】
具体的には、Ｉ−ＣＳＣＦの受信部２０は、例えば、Ｐ−ＣＳＣＦから送信される、「ＲＥＧＩＳＴＥＲ」メッセージ、「ＩＮＶＩＴＥ」メッセージ、「ＭＥＳＳＡＧＥ」メッセージ等のＳＩＰメッセージを含む第２フレームデータＵＣＦＩを受信する。また、Ｉ−ＣＳＣＦの受信部２０は、例えば、ＨＳＳから送信される、ＤＢＰの「ＵＡＡ」メッセージを含むフレームデータを受信する。更にまた、Ｉ−ＣＳＣＦの受信部２０は、例えば、Ｓ−ＣＳＣＦから送信される、「４０１  Ｕｎａｕｔｈｏｒｉｚｅｄ」メッセージや、「２００ＯＫ」メッセージ等のＳＩＰメッセージを含むフレームデータを受信する。
【００７８】
Ｉ−ＣＳＣＦの受信部２０は、Ｐ−ＣＳＣＦから送信された第２フレームデータＵＣＦＩを受信すると、受信した第２フレームデータＵＣＦＩに含まれるＳＩＰメッセージを、Ｉ−ＣＳＣＦのＳＩＰメッセージ処理部２１に出力する。
Ｉ−ＣＳＣＦのＳＩＰメッセージ処理部２１は、Ｉ−ＣＳＣＦの判定部２２において、入力されたＳＩＰメッセージのｆｒｏｍヘッダに含まれるＣＰＣパラメータの設定値に基づき、このＳＩＰメッセージの送信元のＵＥのユーザが優先ユーザであるか否かを判定する。Ｉ−ＣＳＣＦの判定部２２は、この判定結果及びＳＩＰメッセージを、Ｉ−ＣＳＣＦの制御部２３に出力する。
【００７９】
Ｉ−ＣＳＣＦの制御部２３は、Ｉ−ＣＳＣＦの判定部２２から、判定結果及びＳＩＰメッセージが入力されると、判定結果に基づき、該ＳＩＰメッセージに応じた処理を制御する。
具体的には、Ｉ−ＣＳＣＦの制御部２３は、優先ユーザであると判定したＵＥからのＳＩＰメッセージについて、優先制御を実施する。例えば、Ｉ−ＣＳＣＦの制御部２３は、Ｉ−ＣＳＣＦが輻輳状態にあるときに、優先ユーザのＵＥからのＳＩＰメッセージを破棄等せずに優先してＳ−ＣＳＣＦへと送信する制御を実施する。
【００８０】
また、Ｉ−ＣＳＣＦの制御部２３は、例えば、優先ユーザであると判定したＵＥからのＳＩＰメッセージが初回登録時のＲＥＧＩＳＴＥＲメッセージであった場合、このメッセージに応じた処理について、優先制御を実施する。例えば、Ｓ−ＣＳＣＦの制御部２３は、当該Ｓ−ＣＳＣＦが輻輳状態にあるときに、この初回登録時のＲＥＧＩＳＴＥＲメッセージを破棄等せずに、ＨＳＳと連携して該ＲＥＧＩＳＴＥＲメッセージに応じた認証処理や経路設定処理等の初回登録処理に係る処理を優先して制御する。
【００８１】
他にも、Ｉ−ＣＳＣＦの制御部２３は、例えば、優先ユーザであると判定したＵＥからの再登録時のＲＥＧＩＳＴＥＲメッセージ、ＩＮＶＩＴＥメッセージ、ＭＥＳＳＡＧＥメッセージ等の他のＳＩＰメッセージについても、該ＳＩＰメッセージに応じた処理（再登録処理、着信側への中継処理等）を、一般ユーザのＵＥからのものよりも優先して制御する。
一方、Ｉ−ＣＳＣＦの制御部２３は、一般ユーザであると判定したＵＥからのＳＩＰメッセージについて、通常制御を実施する。例えば、当該Ｉ−ＣＳＣＦが輻輳状態にあるときに、一般ユーザのＵＥからのＳＩＰメッセージを、予め設定された輻輳時のルールに従って破棄等する制御を実施する。
【００８２】
また、Ｉ−ＣＳＣＦの制御部２３は、当該Ｉ−ＣＳＣＦが輻輳状態であるか否かに関わらず、予め選択したＳ−ＣＳＣＦを宛先に設定した、優先ユーザのＵＥからのＳＩＰメッセージを含むフレームデータ（以下、第３フレームデータＵＣＦＩという）を、一般ユーザのＵＥのものに優先してＩ−ＣＳＣＦの送信部２４に出力する。このとき、ＳＩＰメッセージのｆｒｏｍヘッダに含まれるＣＰＣパラメータの値は、Ｐ−ＣＳＣＦで設定された値のまま保持される。
【００８３】
一方、Ｉ−ＣＳＣＦの制御部２３は、当該Ｉ−ＣＳＣＦが輻輳状態のときに、一般ユーザのＵＥからのＳＩＰメッセージについて、輻輳時のルールに基づき、該ＳＩＰメッセージが破棄の対象であると判定すると、該ＳＩＰメッセージを破棄する。この場合、Ｉ−ＣＳＣＦの制御部２３は、送信元のＵＥを宛先に設定した、ＳＩＰのエラー応答メッセージを含むフレームデータをＩ−ＣＳＣＦの送信部２４に出力する。また、一般ユーザのＵＥからのＳＩＰメッセージについて、破棄対象とならなかった場合、予め選択したＳ−ＣＳＣＦを宛先に設定した、該ＳＩＰメッセージを含む第３フレームデータＵＣＦＩをＩ−ＣＳＣＦの送信部２４に出力する。
【００８４】
Ｉ−ＣＳＣＦの送信部２４は、入力されたＰ−ＣＳＣＦからのＳＩＰメッセージを含む第３フレームデータＵＣＦＩを宛先のＳ−ＣＳＣＦに送信する。また、Ｉ−ＣＳＣＦの送信部２４は、入力されたＳ−ＣＳＣＦからのＳＩＰメッセージを含むフレームデータを宛先のＰ−ＣＳＣＦに送信する。このとき、Ｉ−ＣＳＣＦの送信部２４は、優先ユーザのＵＥからのＳＩＰメッセージを含むフレームデータを、一般ユーザのＵＥのものに優先して宛先に送信する。
【００８５】
次に、Ｓ−ＣＳＣＦの受信部２０は、Ｉ−ＣＳＣＦから送信される第３フレームデータＵＣＦＩを受信するように構成されている。更に、Ｓ−ＣＳＣＦの受信部２０は、ＨＳＳから送信されるＤＢＰメッセージを含むフレームデータを受信するように構成されている。
具体的には、Ｓ−ＣＳＣＦの受信部２０は、例えば、Ｉ−ＣＳＣＦから送信される、「ＲＥＧＩＳＴＥＲ」メッセージ、「ＩＮＶＩＴＥ」メッセージ、「ＭＥＳＳＡＧＥ」メッセージ等のＳＩＰメッセージを含む第３フレームデータＵＣＦＩを受信する。また、Ｓ−ＣＳＣＦの受信部２０は、例えば、ＨＳＳから送信される、ＤＢＰの「ＭＡＡ」メッセージや「ＳＡＡ」メッセージ等を含むフレームデータを受信する。
【００８６】
Ｓ−ＣＳＣＦの受信部２０は、Ｉ−ＣＳＣＦから送信された、第３フレームデータＵＣＦＩを受信すると、受信した第３フレームデータＵＣＦＩに含まれるＳＩＰメッセージを、Ｓ−ＣＳＣＦのＳＩＰメッセージ処理部２１に出力する。
Ｓ−ＣＳＣＦのＳＩＰメッセージ処理部２１は、判定部２２において、入力されたＳＩＰメッセージのｆｒｏｍヘッダに含まれるＣＰＣパラメータの設定値に基づき、ＳＩＰメッセージの送信元のＵＥのユーザが優先ユーザであるか否かを判定する。Ｓ−ＣＳＣＦの判定部２２は、この判定結果及びＳＩＰメッセージを、Ｓ−ＣＳＣＦの制御部２３に出力する。
【００８７】
Ｓ−ＣＳＣＦの制御部２３は、Ｓ−ＣＳＣＦの判定部２２から、判定結果及びＳＩＰメッセージが入力されると、判定結果に基づき、該ＳＩＰメッセージに応じた処理を制御する。
具体的には、Ｓ−ＣＳＣＦの制御部２３は、例えば、優先ユーザであると判定したＵＥからのＳＩＰメッセージが初回登録時のＲＥＧＩＳＴＥＲメッセージであった場合、このメッセージに応じた処理について、優先制御を実施する。例えば、Ｓ−ＣＳＣＦの制御部２３は、当該Ｓ−ＣＳＣＦが輻輳状態にあるときに、この初回登録時のＲＥＧＩＳＴＥＲメッセージを破棄等せずに、ＨＳＳと連携して該ＲＥＧＩＳＴＥＲメッセージに応じた認証処理や経路設定処理等の初回登録処理に係る処理を優先して制御する。
【００８８】
他にも、Ｓ−ＣＳＣＦの制御部２３は、例えば、優先ユーザであると判定したＵＥからの再登録時のＲＥＧＩＳＴＥＲメッセージ、ＩＮＶＩＴＥメッセージ、ＭＥＳＳＡＧＥメッセージ等の他のＳＩＰメッセージについても、該ＳＩＰメッセージに応じた処理（再登録処理、着信側への中継処理等）を、一般ユーザのＵＥからのものよりも優先して制御する。
一方、Ｓ−ＣＳＣＦの制御部２３は、一般ユーザであると判定したＵＥからのＳＩＰメッセージについて、通常制御を実施する。具体的には、例えば、当該Ｓ−ＣＳＣＦが輻輳状態にあるときに、一般ユーザのＵＥからのＳＩＰメッセージを、予め設定された輻輳時のルールに従って破棄等する。
【００８９】
具体的には、Ｓ−ＣＳＣＦの制御部２３は、該ＳＩＰメッセージが破棄の対象であると判定すると、該ＳＩＰメッセージを破棄する。この場合、Ｓ−ＣＳＣＦの制御部２３は、送信元のＵＥを宛先に設定した、ＳＩＰのエラー応答メッセージを含むフレームデータをＳ−ＣＳＣＦの送信部２４に出力する。また、Ｓ−ＣＳＣＦの制御部２３は、一般ユーザのＵＥからのＳＩＰメッセージについて、破棄対象とならなかった場合、該ＳＩＰメッセージに応じた処理を通常時と同様に制御する。
なお、Ｓ−ＣＳＣＦの制御部２３は、当該Ｓ−ＣＳＣＦが輻輳状態であるか否かに関わらず、優先ユーザのＵＥからのＳＩＰメッセージに応じた処理を、一般ユーザのＵＥからのＳＩＰメッセージに応じた処理に優先して制御する。
【００９０】
Ｓ−ＣＳＣＦの送信部２４は、Ｓ−ＣＳＣＦの制御部２３から入力されたＳＩＰメッセージを含むフレームデータを宛先（Ｉ−ＣＳＣＦ）に送信する。加えて、Ｓ−ＣＳＣＦの送信部２４は、Ｓ−ＣＳＣＦの制御部２３から入力されたＤＢＰメッセージを含むフレームデータを宛先（ＨＳＳ）に送信する。このとき、Ｓ−ＣＳＣＦの送信部２４は、優先ユーザのＵＥからのＳＩＰメッセージ又はＤＢＰメッセージを含むフレームデータを、一般ユーザのＵＥのものに優先して宛先に送信する。
また、図示しないが、ＣＳＣＦは、上記各機能を、ソフトウェアを用いて実現するため、及び各機能の実現に必要なハードウェアを制御するソフトウェアを実行するためのコンピュータシステムを備えている。
【００９１】
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、ＥＰＣ−ＧＷは、入出力Ｉ／Ｆを介して接続された、記憶装置、表示装置、入力装置、及び通信装置を備えている。
【００９２】
（２）ＣＰＵで行われる各処理の処理手順
（２−１）Ｓ−ＧＷのＣＰＵで行われる識別情報付与処理の処理手順
次に、図４に基づき、Ｓ−ＧＷのＣＰＵで行われる識別情報付与処理の処理手順について説明する。図４は、Ｓ−ＧＷのＣＰＵで行われる識別情報付与処理の処理手順の一例を示すフローチャートである。
なお、図４に示す識別情報付与処理は、予め設定した周期で繰り返し実行される。
Ｓ−ＧＷのＣＰＵによって、専用のプログラムが実行され識別情報付与処理が開始されると、図４に示すように、まず、ステップＳ１００へと移行する。
【００９３】
ステップＳ１００では、Ｓ−ＧＷの受信部１０は、ｅＮＢ又はＳＧＳＮから送信されたフレームデータＵＳＧを受信したか否かを判定する。そして、フレームデータＵＳＧを受信したと判定した場合（Ｙｅｓ）は、受信したフレームデータＵＳＧをＳ−ＧＷのデータ転送部１１に出力して、ステップＳ１０２に移行し、そうでないと判定した場合（Ｎｏ）は、一連の処理を終了する。
ステップＳ１０２に移行した場合は、Ｓ−ＧＷのデータ転送部１１において、入力されたフレームデータＵＳＧに基づき、ＰＤＮ−ＧＷへの送信用のフレームデータＵＰＧを生成する。そして、生成したフレームデータＵＰＧを、Ｓ−ＧＷの送信部１３に出力して、ステップＳ１０４に移行する。
【００９４】
具体的には、Ｓ−ＧＷのデータ転送部１１は、受信部１０から入力されたフレームデータＵＳＧに含まれるＩＰｖ４パケットからＩＰｖ６パケットを取り出す。そして、取り出したＩＰｖ６パケットに宛先のＰＤＮ−ＧＷのＩＰｖ４プライベートアドレスを含むＩＰｖ４ヘッダと、ＧＲＥ  Ｋｅｙとを付加して、ＩＰｖ６パケットを再度カプセリングする。更に、ＩＰｖ４パケットにレイヤ２のプロトコルヘッダ（例えば、ＭＡＣヘッダ）を付加して、送信用のフレームデータＵＰＧ（例えば、ＭＡＣフレーム）を生成する。
【００９５】
ステップＳ１０４では、Ｓ−ＧＷの識別情報付与部１２において、受信したフレームデータＵＳＧに含まれるＳＩＰメッセージの送信元のＵＥの識別情報に基づき、メモリから、該送信元のＵＥのユーザに対応する優先ユーザ設定情報を取得して、ステップＳ１０６に移行する。
ステップＳ１０６では、Ｓ−ＧＷの識別情報付与部１２において、ステップＳ１０４で取得した優先ユーザ設定情報に基づき、ＰＤＮ−ＧＷへと中継するＳＩＰメッセージを含むフレームデータＵＰＧに、該メッセージの送信元のＵＥのユーザが優先ユーザであるか否かを識別するための識別情報を付与する。そして、フレームデータＵＰＧに識別情報を付与した構成のフレームデータＵＰＧＩをＳ−ＧＷの送信部１３に出力して、ステップＳ１０８に移行する。
【００９６】
本実施形態において、Ｓ−ＧＷの識別情報付与部１２は、ＰＤＮ−ＧＷへと中継するフレームデータＵＰＧに含まれる、予め設定した通信プロトコルのプロトコルヘッダに、識別情報を付与する。
具体的には、Ｓ−ＧＷの識別情報付与部１２は、レイヤ１〜３（Ｌ１／Ｌ２，ＩＰ）の通信プロトコルのうち予め設定した通信プロトコルのプロトコルヘッダに識別情報を付与するようになっている。
【００９７】
ここで、図５（ａ）は、Ｓ−ＧＷ〜ＰＤＮ−ＧＷ間で送受信されるフレームデータＵＰＧの一例を示す図であり、図５（ｂ）は、ＰＤＮ−ＧＷ〜Ｐ−ＣＳＣＦ間で送受信されるフレームデータの一例を示す図である。また、図５（ｃ）は、ＭＡＣヘッダに識別情報を付与する一例を示す図であり、図５（ｄ）は、ＩＰヘッダのＤＳフィールドを利用して識別情報を付与する一例を示す図である。
図５（ａ）に示すように、Ｓ−ＧＷからＰＤＮ−ＧＷに送信するフレームデータＵＰＧは、ＭＡＣヘッダと、ＩＰヘッダと、ＧＲＥ  Ｋｅｙとを含んでいる。これらのヘッダによって、フレームデータＵＰＧに含まれる、ＩＰｖ６ヘッダ、ＴＣＰ／ＵＤＰヘッダ及びＳＩＰメッセージを含むＩＰｖ６パケットがカプセリングされている。
【００９８】
まず、フレームデータＵＰＧのＭＡＣヘッダに識別情報を付与する例を説明する。
図５（ｃ）に示すように、ＭＡＣヘッダに、拡張フィールドとして、優先度を設定するフィールドを事前に設ける。そして、Ｓ−ＧＷの識別情報付与部１２は、このフィールドのパラメータを、優先ユーザ設定情報に基づき設定することで識別情報を付与する。
具体的には、Ｓ−ＧＷの識別情報付与部１２は、優先ユーザであると判定した場合、拡張フィールドの優先度を設定するパラメータを、予め設定した優先ユーザを示す数値に設定する。一方、Ｓ−ＧＷの識別情報付与部１２は、一般ユーザであると判定した場合、拡張フィールドの優先度を設定するパラメータを、予め設定した一般ユーザを示す数値に設定する。
【００９９】
次に、フレームデータＵＰＧのＩＰヘッダに識別情報を付与する例を説明する。
ＩＰｖ４及びＩＰｖ６ヘッダには、従来から優先度を設定するためのＤＳ（Differentiated Service:DiffServ）フィールドが設定されている。このＤＳフィールドは、図５（ｄ）に示すように、最初の６ビットが優先度を設定するためのビットとなり、残りの２ビットが予約ビットとなっている。
具体的には、Ｓ−ＧＷの識別情報付与部１２は、優先ユーザであると判定した場合、ＤＳフィールドの優先度を設定するパラメータ（ＤＳＣＰ（DiffServ Code Point））を、予め設定した優先ユーザを示す数値に設定する。一方、Ｓ−ＧＷの識別情報付与部１２は、一般ユーザであると判定した場合、ＤＳＣＰを、予め設定した一般ユーザを示す数値に設定する。
【０１００】
かかる構成によって、本実施形態では、例えば、優先ユーザではない不正ユーザのＵＥからのＳＩＰメッセージを含むフレームデータＵＳＧに、優先ユーザを示す識別情報が不正に付与されていたとしても、Ｓ−ＧＷの識別情報付与部１２において、優先ユーザ設定情報に基づき、正しい識別情報へと付与し直すことができる。
図４に戻って、ステップＳ１０８では、送信部１３において、ＳＩＰメッセージを含みかつ識別情報の付与されたフレームデータ（フレームデータＵＰＧＩ）を、宛先のＰＤＮ−ＧＷへと送信する。その後、一連の処理を終了する。
【０１０１】
（２−２）ＰＤＮ−ＧＷのＣＰＵで行われる識別情報付与処理の処理手順
次に、図６に基づき、ＰＤＮ−ＧＷのＣＰＵで行われる識別情報付与処理の処理手順について説明する。図６は、ＰＤＮ−ＧＷのＣＰＵで行われる識別情報付与処理の処理手順の一例を示すフローチャートである。
なお、図６に示す識別情報付与処理は、予め設定した周期で繰り返し実行される。
ＰＤＮ−ＧＷのＣＰＵによって、専用のプログラムが実行され識別情報付与処理が開始されると、図６に示すように、まず、ステップＳ２００へと移行する。
【０１０２】
ステップＳ２００では、ＰＤＮ−ＧＷの受信部１０において、Ｓ−ＧＷから送信されたフレームデータＵＰＧＩを受信したか否かを判定する。そして、フレームデータＵＰＧＩを受信したと判定した場合（Ｙｅｓ）は、受信したフレームデータＵＰＧＩをＰＤＮ−ＧＷのデータ転送部１１に出力して、ステップＳ２０２に移行し、そうでないと判定した場合（Ｎｏ）は、一連の処理を終了する。
ここで、Ｓ−ＧＷから送信されるＳＩＰメッセージを含むＩＰパケット（例えば、ＩＰｖ６パケット）は、Ｓ−ＧＷ〜ＰＤＮ−ＧＷ間において、ＩＰｖ４ヘッダによってカプセリングされたＩＰｖ４パケットとして中継される。即ち、Ｓ−ＧＷ〜ＰＤＮ−ＧＷ間では、データの中継を主として行うため、主にレイヤ１〜３の各プロトコルに対応したソフトウェアによって処理が行われる。
【０１０３】
ステップＳ２０２に移行した場合は、ＰＤＮ−ＧＷのデータ転送部１１は、ＩＰｖ６パケットをカプセリングしたＩＰｖ４パケットを含むフレームデータ（フレームデータＵＰＧＩ）を受信すると、フレームデータＵＰＧＩからＩＰｖ６パケットを取り出す。そして、取り出したＩＰｖ６パケットをデータ部に含む、宛先のＰ−ＣＳＣＦへの送信用のフレームデータＵＣＦを生成して、ステップＳ２０４に移行する。
ステップＳ２０４では、ＰＤＮ−ＧＷのデータ転送部１１において、ステップＳ２００で受信したフレームデータＵＰＧＩから識別情報を抽出する。そして、ステップＳ２０２で生成したフレームデータＵＣＦ及び抽出した識別情報を、ＰＤＮ−ＧＷの識別情報付与部１２に出力する。その後、ステップＳ２０６に移行する。
【０１０４】
具体的には、ＰＤＮ−ＧＷのデータ転送部１１は、フレームデータＵＰＧＩに含まれるＭＡＣヘッダ及びＩＰｖ４ヘッダのうち、予め設定されたプロトコルヘッダに付与された識別情報を抽出する。
具体的には、ＰＤＮ−ＧＷのデータ転送部１１は、ＰＤＮ−ＧＷからＰ−ＣＳＣＦに送信するフレームデータとして、図５（ｂ）に示す構成のフレームデータＵＣＦを生成する。
ここで、フレームデータＵＣＦは、図５（ｂ）に示すように、ＭＡＣヘッダと、ＩＰｖ６ヘッダと、ＴＣＰ／ＵＤＰヘッダと、ＳＩＰメッセージと、ＦＣＳ（Frame Check Sequence）とを含む構成となっている。即ち、フレームデータＵＰＧＩから取り出したＩＰｖ６パケットに、ＭＡＣヘッダ及びＦＣＳを付加した構成となっている。
【０１０５】
図６に戻って、ステップＳ２０６では、ＰＤＮ−ＧＷの識別情報付与部１２において、抽出した識別情報に基づき、フレームデータＵＣＦにおける抽出したときと同種のプロトコルヘッダ（予め設定されたプロトコルヘッダ）に識別情報を付与して、第１フレームデータＵＣＦＩを生成する。そして、生成した第１フレームデータＵＣＦＩを送信部１３に出力して、ステップＳ２０８に移行する。
本実施形態では、Ｓ−ＧＷにおいて、ＭＡＣヘッダの拡張フィールド又はＩＰヘッダのＤＳフィールドを用いて識別情報を付与している。
【０１０６】
従って、ＰＤＮ−ＧＷの識別情報付与部１２は、抽出した識別情報に基づき、フレームデータＵＣＦのＭＡＣヘッダ又はＩＰｖ６ヘッダのうち、ＰＤＮ−ＧＷのデータ転送部１１で識別情報を抽出したプロトコルヘッダと同種のヘッダに識別情報を付与する。つまり、レイヤ１〜３のプロトコルヘッダ（ＭＡＣヘッダ、ＩＰヘッダ）のうちＳ−ＧＷで識別情報を付与したプロトコルヘッダと同種のものに識別情報を付与する。
【０１０７】
具体的には、ＰＤＮ−ＧＷの識別情報付与部１２は、データ転送部１１がフレームデータＵＰＧＩのＩＰｖ４ヘッダから識別情報を抽出する場合、フレームデータＵＣＦにおける同種のプロトコルヘッダであるＩＰｖ６ヘッダのＤＳフィールドのパラメータ（ＤＳＣＰ値）を、抽出した識別情報と同じ値又は対応する値に設定する。一方、ＰＤＮ−ＧＷの識別情報付与部１２は、データ転送部１１がフレームデータＵＰＧＩのＭＡＣヘッダから識別情報を抽出する場合、フレームデータＵＣＦのＭＡＣヘッダの優先度設定用の拡張フィールドのパラメータを、抽出した識別情報と同じ値又は対応する値に設定する。
【０１０８】
ステップＳ２０８では、ＰＤＮ−ＧＷの送信部１３において、ＰＤＮ−ＧＷの識別情報付与部１２から入力された、ＳＩＰメッセージを含みかつ識別情報の付与された第１フレームデータＵＣＦＩを、宛先のＰ−ＣＳＣＦへと送信する。その後、一連の処理を終了する。
これにより、Ｐ−ＣＳＣＦでは、レイヤ５〜７のＳＩＰに対応するソフトウェアが、第１フレームデータＵＣＦＩに含まれるレイヤ１〜３のプロトコルヘッダ（ＭＡＣヘッダ、ＩＰヘッダ）のうちＰＤＮ−ＧＷで識別情報の付与されたプロトコルヘッダの該識別情報に基づき、第１フレームデータＵＣＦＩに含まれるＳＩＰメッセージに応じた処理を制御する。
【０１０９】
（２−３）ＣＳＣＦのＣＰＵで行われるＳＩＰメッセージ制御処理の処理手順
次に、図７に基づき、Ｐ−ＣＳＣＦ、Ｉ−ＣＳＣＦ及びＳ−ＣＳＣＦのＣＰＵで行われるＳＩＰメッセージ制御処理の処理手順を説明する。図７は、ＳＩＰメッセージ制御処理の処理手順の一例を示すフローチャートである。
なお、図７に示すＳＩＰメッセージ制御処理は、予め設定した周期で繰り返し実行される。
ＣＳＣＦのＣＰＵによって、専用のプログラムが実行されＳＩＰメッセージ制御処理が開始されると、図７に示すように、まず、ステップＳ３００へと移行する。
【０１１０】
ステップＳ３００では、受信部２０において、ＳＩＰメッセージを含みかつ識別情報の付与されたフレームデータＵＣＦＩを受信したか否かを判定する。そして、フレームデータＵＣＦＩを受信したと判定した場合（Ｙｅｓ）は、受信したフレームデータＵＣＦＩをＳＩＰメッセージ処理部２１に出力して、ステップＳ３０２に移行し、そうでないと判定した場合（Ｎｏ）は、一連の処理を終了する。
具体的には、Ｐ−ＣＳＣＦの受信部２０は、ＰＤＮ−ＧＷから送信された第１フレームデータＵＣＦＩを受信したか否かを判定する。また、Ｉ−ＣＳＣＦの受信部２０は、Ｐ−ＣＳＣＦから送信された第２フレームデータＵＣＦＩを受信したか否かを判定し、Ｓ−ＣＳＣＦの受信部２０は、Ｉ−ＣＳＣＦから送信された第３フレームデータＵＣＦＩを受信したか否かを判定する。
【０１１１】
ステップＳ３０２に移行した場合は、ＳＩＰメッセージ処理部２１の判定部２２において、入力されたフレームデータＵＣＦＩから識別情報を抽出して、ステップＳ３０４に移行する。
具体的には、Ｐ−ＣＳＣＦの判定部２２は、第１フレームデータＵＣＦＩに含まれるＭＡＣヘッダ及びＩＰｖ６ヘッダのうち、予め設定されたプロトコルヘッダに付与された識別情報を抽出する。
【０１１２】
一方、Ｉ−ＣＳＣＦの判定部２２は、第２フレームデータＵＣＦＩに含まれるＳＩＰメッセージから、該ＳＩＰメッセージのｆｒｏｍヘッダに付与された識別情報（ＣＰＣパラメータ値）を抽出する。
また、Ｓ−ＣＳＣＦの判定部２２は、第３フレームデータＵＣＦＩに含まれるＳＩＰメッセージから、該ＳＩＰメッセージのｆｒｏｍヘッダに付与された識別情報（ＣＰＣパラメータ値）を抽出する。
【０１１３】
ステップＳ３０４では、判定部２２において、抽出した識別情報に基づき、ＳＩＰメッセージの送信元のＵＥのユーザが、優先ユーザであるか否かを判定する。そして、優先ユーザであると判定した場合（Ｙｅｓ）は、優先ユーザであることを示す判定結果及びフレームデータＵＣＦＩに含まれるＳＩＰメッセージを制御部２３に出力して、ステップＳ３０６に移行する。一方、優先ユーザでは無い（一般ユーザである）と判定した場合（Ｎｏ）は、一般ユーザであることを示す判定結果及びフレームデータＵＣＦＩに含まれるＳＩＰメッセージを制御部２３に出力して、ステップＳ３０８に移行する。
【０１１４】
ステップＳ３０６に移行した場合は、制御部２３において、入力された優先ユーザであることを示す判定結果及びＳＩＰメッセージに基づき、優先制御を実施する。その後、一連の処理を終了する。
具体的には、Ｐ−ＣＳＣＦの制御部２３は、判定部２２から入力されたＳＩＰメッセージを、一般ユーザのものよりも優先して、宛先のＩ−ＣＳＣＦへと中継する制御を実施する。
【０１１５】
即ち、Ｐ−ＣＳＣＦの制御部２３は、優先ユーザのＵＥからのＳＩＰメッセージを中継する順番を、一般ユーザのものよりも先にする制御を実施する。加えて、当該Ｐ−ＣＳＣＦが輻輳状態であっても、優先ユーザのＵＥからのＳＩＰメッセージを、破棄等せずに宛先のＩ−ＣＳＣＦへと中継する制御を実施する。
なお、本実施形態において、Ｐ−ＣＳＣＦの制御部２３は、Ｉ−ＣＳＣＦへと中継した優先ユーザのＳＩＰメッセージ（リクエストメッセージ）に応じて、Ｉ−ＣＳＣＦを介して送信されてきたＳＩＰメッセージ（レスポンスメッセージ）についても、破棄等せずに優先して宛先のＥＰＣ−ＧＷへと中継する制御を実施する。
【０１１６】
また、Ｉ−ＣＳＣＦの制御部２３は、判定部２２から入力されたＳＩＰメッセージを、一般ユーザのものよりも優先して、宛先のＳ−ＣＳＣＦへと中継する制御を実施する。
即ち、Ｉ−ＣＳＣＦの制御部２３は、優先ユーザのＵＥからのＳＩＰメッセージを中継する順番を、一般ユーザのものよりも先にする制御を実施する。加えて、当該Ｉ−ＣＳＣＦが輻輳状態であっても、優先ユーザのＵＥからのＳＩＰメッセージを、破棄等せずに宛先のＳ−ＣＳＣＦへと中継する制御を実施する。
【０１１７】
なお、本実施形態において、Ｉ−ＣＳＣＦの制御部２３は、Ｓ−ＣＳＣＦへと中継した優先ユーザのＳＩＰメッセージ（リクエストメッセージ）に応じて、Ｓ−ＣＳＣＦを介して送信されてきたＳＩＰメッセージ（レスポンスメッセージ）についても、破棄等せずに優先して宛先のＰＤＮ−ＧＷへと中継する制御を実施する。
また、本実施形態において、Ｉ−ＣＳＣＦの制御部２３は、優先ユーザのＵＥからのＳＩＰメッセージに応じて行われる処理についても優先して制御する。具体的には、例えば、優先ユーザのＵＥからの初回登録時のＲＥＧＩＳＴＥＲメッセージの受信に応じて、ＨＳＳと連携して行われる宛先のＳ−ＣＳＣＦの選択処理や、経路設定処理などの初回登録に係る処理について優先して制御する。
【０１１８】
また、本実施形態において、Ｓ−ＣＳＣＦの制御部２３は、受信したＳＩＰメッセージに応じて行われる処理を、一般ユーザのものよりも優先して制御する。
具体的には、Ｓ−ＣＳＣＦの制御部２３は、例えば、優先ユーザのＵＥからの初回登録時のＲＥＧＩＳＴＥＲメッセージの受信に応じて、ＨＳＳと連携して行われる認証処理や経路設定処理などの初回登録に係る処理について優先して制御する。
一方、ステップＳ３０４において、優先ユーザでは無いと判定されステップＳ３０８に移行した場合は、制御部２３において、通常制御を実施する。その後、一連の処理を終了する。
【０１１９】
具体的には、制御部２３は、一般ユーザのＵＥからのＳＩＰメッセージに応じた処理について、通常制御を行う。例えば、ＣＳＣＦが輻輳状態のときは、予め設定された輻輳時のルールに従って、ＳＩＰメッセージを破棄等する制御を実施する。制御部２３は、一般ユーザのＵＥからのＳＩＰメッセージを破棄した場合、ＳＩＰのエラー応答メッセージをその一般ユーザのＵＥに向けて送信（返信）する。
また、制御部２３は、ＣＳＣＦが輻輳状態では無い場合又はＳＩＰメッセージを破棄しなかった場合、一般ユーザのＳＩＰメッセージに応じた処理の制御を通常通りに実施する。
【０１２０】
（３）通信システム１の動作例
次に、図４、図６及び図７を参照しつつ、図８に基づき、本実施形態の通信システム１の動作例を説明する。
ここで、図８は、優先ユーザのＵＥが電源をＯＦＦ→ＯＮにしてからＩＭＳネットワークへの初回登録処理が完了するまでの動作を含むシーケンス図である。
【０１２１】
図８に示すように、優先ユーザであるユーザＡのＵＥであるＵＥＡ（ここでは、ＬＴＥ対応の移動通信端末とする）の電源がＯＦＦ→ＯＮになると、まず、該ＵＥＡをＥＰＣネットワークに登録する既存の処理が実行される（ステップＳ１０００）。この登録処理によって、ＵＥの在圏する無線アクセスシステムからＰＤＮ−ＧＷまでのＩＰパケットの伝達経路が設定される。また、このとき、Ｓ−ＧＷ及びＰＤＮ−ＧＷに、優先ユーザＡのユーザ情報が保持される。
ＵＥＡは、ＩＰパケットの伝達経路が設定されると、次に、自己をＩＭＳネットワークに初回登録するためのＲＥＧＩＳＴＥＲメッセージを、伝達経路として設定されたＥＰＣ−ＧＷに向けて送信する（ステップＳ１００２）。
【０１２２】
ＥＰＣ−ＧＷでは、Ｐ−ＣＳＣＦへと中継するＵＥＡからの初回登録時のＲＥＧＩＳＴＥＲメッセージを含むフレームデータを受信すると、このフレームデータに対して、識別情報付与処理を実施する（ステップＳ１００４）。
まず、Ｓ−ＧＷにおいて、ｅＮＢから送信された、初回登録時のＲＥＧＩＳＴＥＲメッセージを含むＩＰｖ６パケットを、ＩＰｖ４ヘッダ及びＴＥＩＤによってカプセリングしたフレームデータ（フレームデータＵＳＧ）が受信される（ステップＳ１００のＹｅｓ）。
【０１２３】
Ｓ−ＧＷは、受信部１０においてフレームデータＵＳＧを受信すると、次に、データ転送部１１において、受信したフレームデータＵＳＧからＩＰｖ６パケットを取り出す。そして、取り出したＩＰｖ６パケットをＩＰｖ４ヘッダ及びＧＲＥ  Ｋｅｙによって再度カプセリングして、ＰＤＮ−ＧＷへの送信用のフレームデータ（フレームデータＵＰＧ）を生成する（ステップＳ１０２）。
引き続き、Ｓ−ＧＷは、識別情報付与部１２において、このフレームデータＵＰＧに対して、識別情報を付与する（ステップＳ１０４〜Ｓ１０６）。
ここでは、フレームデータＵＰＧに含まれるＩＰｖ４ヘッダのＤＳフィールドに識別情報を付与することとする。
【０１２４】
即ち、Ｓ−ＧＷは、識別情報付与部１２において、メモリからユーザＡの優先ユーザ設定情報を取得し（ステップＳ１０４）、取得した優先ユーザ設定情報に基づき、フレームデータＵＰＧのＩＰｖ４ヘッダに含まれるＤＳフィールドのＤＳＣＰ値を、予め設定した優先ユーザを示す値に設定する。このようにして、識別情報の付与されたフレームデータ（フレームデータＵＰＧＩ）を生成する（ステップＳ１０６）。そして、Ｓ−ＧＷの送信部１３によって、生成したフレームデータＵＰＧＩを、伝達経路として設定されたＰＤＮ−ＧＷへと送信する（ステップＳ１０８）。
【０１２５】
ＰＤＮ−ＧＷは、受信部１０においてＳ−ＧＷからのフレームデータＵＰＧＩを受信すると（ステップＳ２００のＹｅｓ）、データ転送部１１において、受信したフレームデータＵＰＧＩからＩＰｖ６パケットを取り出す。そして、取り出したＩＰｖ６パケットに新たなＭＡＣヘッダを付加して、Ｐ−ＣＦＣＳへの送信用のフレームデータ（フレームデータＵＣＦ）を生成する（ステップＳ２０２）。
引き続き、ＰＤＮ−ＧＷは、データ転送部１１において、フレームデータＵＰＧＩのＩＰｖ４ヘッダのＤＳフィールドから、識別情報（ＤＳＣＰ値）を抽出する（ステップＳ２０４）。そして、ＰＤＮ−ＧＷは、識別情報付与部１２において、抽出した識別情報に基づき、フレームデータＵＣＦに対して、識別情報を付与する（ステップＳ２０６）。
【０１２６】
具体的には、ＰＤＮ−ＧＷは、識別情報付与部１２において、フレームデータＵＣＦのＩＰｖ６ヘッダに含まれるＤＳフィールドのＤＳＣＰ値を、抽出した識別情報（ＤＳＣＰ値）と同じ値又は対応する値に設定することで識別情報を付与する。このようにして、フレームデータＵＣＦに識別情報を付与した構成の第１フレームデータＵＣＦＩを生成する。この第１フレームデータＵＣＦＩは、ＰＤＮ−ＧＷの送信部１３によって、上記ステップＳ２０８の処理を経て、宛先のＰ−ＣＳＣＦへと送信される（ステップＳ１００６）。
【０１２７】
一方、Ｐ−ＣＳＣＦは、受信部２０を介して、ＰＤＮ−ＧＷから送信された第１フレームデータＵＣＦＩを受信すると、受信した第１フレームデータＵＣＦＩに対してＳＩＰメッセージ制御処理を実施する（ステップＳ１００８）。なお、図８に示すように、ここでは、Ｐ−ＣＳＣＦが輻輳状態であるとする。
Ｐ−ＣＳＣＦは、ＳＩＰメッセージ処理部２１の判定部２２において、ＳＩＰメッセージ（初回登録時のＲＥＧＩＳＴＥＲメッセージ）を含む第１フレームデータＵＣＦＩを受信したと判定すると（ステップＳ３００のＹｅｓ）、次に、受信した第１フレームデータＵＣＦＩから識別情報を抽出する（ステップＳ３０２）。
【０１２８】
具体的には、Ｐ−ＣＳＣＦのＳＩＰメッセージ処理部２１の判定部２２において、第１フレームデータＵＣＦＩに含まれるＩＰｖ６ヘッダのＤＳフィールドからＤＳＣＰ値を抽出する。
引き続き、Ｐ−ＣＳＣＦは、判定部２２において、抽出した識別情報（ＤＳＣＰ値）に基づき、初回登録時のＲＥＧＩＳＴＥＲメッセージの送信元のＵＥＡのユーザＡが優先ユーザであるか否かを判定する（ステップＳ３０４）。ここで、受信した第１フレームデータＵＣＦＩに含まれる初回登録時のＲＥＧＩＳＴＥＲメッセージは、優先ユーザであるユーザＡのＵＥから送信されたメッセージであるのでＤＳＣＰ値は、優先ユーザを示す値となっている。
【０１２９】
従って、Ｐ−ＣＳＣＦの判定部２２は、初回登録時のＲＥＧＩＳＴＥＲメッセージの送信元であるＵＥＡのユーザＡを優先ユーザであると判定する（ステップＳ３０４のＹｅｓ）。
続いて、Ｐ−ＣＳＣＦの制御部２３は、判定部２２の判定結果に基づき、ＵＥＡのユーザが優先ユーザであると判定すると、初回登録時のＲＥＧＩＳＴＥＲメッセージに応じた初回登録処理に対して、優先制御を実施する（ステップＳ３０６）。
【０１３０】
具体的には、Ｐ−ＣＳＣＦの制御部２３は、初回登録時のＲＥＧＩＳＴＥＲメッセージを宛先のＩ−ＣＳＣＦへと中継する処理を優先して制御する。つまり、Ｐ−ＣＳＣＦの制御部２３は、現在Ｐ−ＣＳＣＦが輻輳状態となっているので、輻輳時のルールに従った該ＲＥＧＩＳＴＥＲメッセージの破棄等を行わずに、かつ、一般ユーザのものよりも優先して、該ＲＥＧＩＳＴＥＲメッセージを宛先のＩ−ＣＳＣＦへと中継する（ステップＳ１０１０）。
このとき、Ｐ−ＣＳＣＦの制御部２３は、ＲＥＧＩＳＴＥＲメッセージのｆｒｏｍヘッダに含まれるＣＰＣパラメータの値を、優先ユーザであることを示す値に設定する。このようにして、ＲＥＧＩＳＴＥＲメッセージに優先度情報を付与する。そして、Ｐ−ＣＳＣＦの送信部２４は、優先ユーザであることを示す優先度情報の付与されたＲＥＧＩＳＴＥＲメッセージを含むフレームデータ（第２フレームデータＵＣＦＩ）を、宛先のＩ−ＣＳＣＦへと送信する。
次に、I−ＣＳＣＦは、受信部２０を介して、Ｐ−ＣＳＣＦから送信された第２フレームデータＵＣＦＩを受信すると、受信した第２フレームデータＵＣＦＩに対してＳＩＰメッセージ制御処理を実施する（ステップＳ１０１２）。
【０１３１】
具体的には、Ｉ−ＣＳＣＦは、受信部２０において、初回登録時のＲＥＧＩＳＴＥＲメッセージを含む第２フレームデータＵＣＦＩを受信したと判定すると（ステップＳ３００のＹｅｓ）、次に、ＳＩＰメッセージ処理部２１の判定部２２において、受信した第２フレームデータＵＣＦＩから識別情報を抽出する（ステップＳ３０２）。
即ち、Ｉ−ＣＳＣＦの判定部２２は、第２フレームデータＵＣＦＩに含まれる初回登録時のＲＥＧＩＳＴＥＲメッセージから、該メッセージのｆｒｏｍヘッダに含まれるＣＰＣパラメータ値を抽出する。
【０１３２】
引き続き、Ｉ−ＣＳＣＦは、判定部２２において、抽出した識別情報（ＣＰＣパラメータ値）に基づき、初回登録時のＲＥＧＩＳＴＥＲメッセージの送信元のＵＥＡのユーザＡが優先ユーザであるか否かを判定する（ステップＳ３０４）。
ここで、ＣＰＣパラメータ値は、優先ユーザを示す値となっているので、Ｉ−ＣＳＣＦの判定部２２は、初回登録時のＲＥＧＩＳＴＥＲメッセージの送信元であるＵＥＡのユーザＡを優先ユーザであると判定する（ステップＳ３０４のＹｅｓ）。
【０１３３】
Ｉ−ＣＳＣＦの制御部２３は、判定部２２の判定結果に基づき、ＵＥＡのユーザが優先ユーザであると判定すると、次に、ＳＩＰメッセージ処理部２１の制御部２３において、初回登録時のＲＥＧＩＳＴＥＲメッセージに応じた初回登録処理に対して、優先制御を実施する（ステップＳ３０６）。
具体的には、Ｉ−ＣＳＣＦの制御部２３は、まず、優先ユーザに対応する初回登録時のＲＥＧＩＳＴＥＲメッセージに応じた、ＨＳＳへのＤＢＰメッセージ（ＵＡＲ）の送信処理及びＨＳＳからのＤＢＰメッセージ（ＵＡＡ）の受信処理を優先して行う（ステップＳ１０１４）。
【０１３４】
これにより、Ｉ−ＣＳＣＦの制御部２３は、ＨＳＳからＳ−ＣＳＣＦを選択するためのサーバ能力情報を取得し、取得したサーバ能力情報に基づき、当該Ｉ−ＣＳＣＦが予め保有しているＳ−ＣＳＣＦのリストから、ＵＥＡに適したＳ−ＣＳＣＦを選択する。
引き続き、Ｉ−ＣＳＣＦの制御部２３は、優先ユーザに対応する初回登録時のＲＥＧＩＳＴＥＲメッセージを含む第２フレームデータＵＣＦＩを、宛先として選択したＳ−ＣＳＣＦへと中継する処理を優先して制御する。つまり、Ｉ−ＣＳＣＦの制御部２３は、該第２フレームデータＵＣＦＩを、一般ユーザのものよりも優先して宛先のＳ−ＣＳＣＦへと中継する（ステップＳ１０１６）。
【０１３５】
次に、Ｓ−ＣＳＣＦは、受信部２０を介して、Ｉ−ＣＳＣＦから送信された第２フレームデータＵＣＦＩを受信すると、受信したフレームデータＵＣＦＩに対してＳＩＰメッセージ制御処理を実施する（ステップＳ１０１８）。
具体的には、Ｓ−ＣＳＣＦは、上記ステップＳ１０１２のＩ−ＣＳＣＦのＳＩＰメッセージ制御処理と同様の処理を実施して、初回登録時のＲＥＧＩＳＴＥＲメッセージの送信元であるＵＥＡのユーザＡを優先ユーザであると判定する（ステップＳ３００〜Ｓ３０４）。
【０１３６】
そして、Ｓ−ＣＳＣＦは、制御部２３において、優先ユーザに対応する初回登録時のＲＥＧＩＳＴＥＲメッセージを含む第２フレームデータＵＣＦＩに応じた初回登録処理に対して、優先制御を実施する（ステップＳ３０８）。
具体的には、Ｓ−ＣＳＣＦの制御部２３は、まず、優先ユーザに対応する初回登録時のＲＥＧＩＳＴＥＲメッセージに応じた、ＨＳＳへのＤＢＰメッセージ（ＭＡＲ）の送信処理及びＨＳＳからのＤＢＰメッセージ（ＭＡＡ）の受信処理を優先して行う（ステップＳ１０２０）。これにより、Ｓ−ＣＳＣＦの制御部２３は、当該Ｓ−ＣＳＣＦのアドレスをＨＳＳに設定すると共にＵＥＡの認証ベクトルを取得する。Ｓ−ＣＳＣＦの制御部２３は、この認証ベクトルに基づきＵＥＡのユーザＡを認証する。
【０１３７】
更に、Ｓ−ＣＳＣＦの制御部２３は、ＵＥＡが応答することになるチャレンジ値を含むＳＩＰの「４０１  Ｕｎａｕｔｈｏｒｉｚｅｄ」メッセージを、Ｉ−ＣＳＣＦに送信する（ステップＳ１０２２）。Ｉ−ＣＳＣＦは、受信した「４０１  Ｕｎａｕｔｈｏｒｉｚｅｄ」メッセージを、Ｐ−ＣＳＣＦへと中継し（ステップＳ１０２４）、Ｐ−ＣＳＣＦは、受信した「４０１  Ｕｎａｕｔｈｏｒｉｚｅｄ」メッセージを、ＥＰＣ−ＧＷへと中継する（ステップＳ１０２６）。そして、ＥＰＣ−ＧＷは、受信した「４０１  Ｕｎａｕｔｈｏｒｉｚｅｄ」メッセージを、ＵＥＡへと中継する（ステップＳ１０２８）。
【０１３８】
ＵＥＡは、「４０１  Ｕｎａｕｔｈｏｒｉｚｅｄ」メッセージを受信したことに応じて、該メッセージに含まれるチャレンジ値に対する適切な応答（信用情報）を生成する。そして、この信用情報を含む新しいＲＥＧＩＳＴＥＲメッセージをＥＰＣ−ＧＷへと送信する（ステップＳ１０３０）。
ＥＰＣ−ＧＷでは、Ｐ−ＣＳＣＦへと中継するＵＥＡからのＲＥＧＩＳＴＥＲメッセージを含むフレームデータに対して、識別情報付与処理を実施する（ステップＳ１０３２）。
ここで、ステップＳ１０３２の識別情報付与処理は、上記ステップＳ１００４と同様の処理となるので説明を省略する。
【０１３９】
ステップＳ１０３２の処理によって、信用情報を含む新たなＲＥＧＩＳＴＥＲメッセージを含みかつ識別情報の付与されたフレームデータ（第１フレームデータＵＣＦＩ）が、ＰＤＮ−ＧＷの送信部１３によって、宛先のＰ−ＣＳＣＦへと送信される（ステップＳ１０３４）。
ここで、以降のステップＳ１０３６〜Ｓ１０４０までの処理は、上記ステップＳ１００８〜Ｓ１０１２までの処理と同様となるので説明を省略する。
Ｉ−ＣＳＣＦは、ステップＳ１０４０を経て、ＵＥＡのユーザＡが優先ユーザであると判定すると、Ｐ−ＣＳＣＦから受信した、第２フレームデータＵＣＦＩに含まれる新たなＲＥＧＩＳＴＥＲメッセージに応じた登録処理に対して優先制御を実施する。
【０１４０】
具体的には、Ｉ−ＣＳＣＦの制御部２３は、まず、第２フレームデータＵＣＦＩに含まれる、信用情報を含む新たなＲＥＧＩＳＴＥＲメッセージに応じた、ＨＳＳへのＤＢＰメッセージ（ＵＡＲ）の送信処理及びＨＳＳからのＤＢＰメッセージ（ＵＡＡ）の受信処理を優先して行う（ステップＳ１０４２）。
ここで、上記ステップＳ１０１４との違いは、ＨＳＳから受信するＤＢＰメッセージ（ＵＡＡ）に、上記ステップＳ１０２０のＤＢＰメッセージ（ＭＡＲ）によってＨＳＳに登録された、ユーザＡに割り当てられたＳ−ＣＳＣＦのアドレスが含まれていることである。
これにより、Ｉ−ＣＳＣＦの制御部２３は、第２フレームデータＵＣＦＩを、上記ステップＳ１０１６のときと同じ宛先のＳ−ＣＳＣＦへと送信する（ステップＳ１０４４）。
【０１４１】
次に、Ｓ−ＣＳＣＦは、受信部２０を介して、Ｉ−ＣＳＣＦから送信された、第２フレームデータＵＣＦＩを受信すると、受信した第２フレームデータＵＣＦＩに対してＳＩＰメッセージ制御処理を実施する（ステップＳ１０４６）。
ここで、ステップＳ１０４６のＳＩＰメッセージ制御処理におけるＵＥＡのユーザＡを優先ユーザと判定するまでの処理は、上記ステップＳ１０１８と同様の処理となるので説明を省略する。
【０１４２】
即ち、Ｓ−ＣＳＣＦは、制御部２３において、第２フレームデータＵＣＦＩに含まれる、信用情報を含む新たなＲＥＧＩＳＴＥＲメッセージに応じた登録処理に対して、優先制御を実施する（ステップＳ３０８）。
まず、Ｓ−ＣＳＣＦの制御部２３は、このＲＥＧＩＳＴＥＲメッセージに含まれる信用情報について、上記ステップＳ１０２０においてＨＳＳから取得した認証ベクトルに対する検証を行う。
【０１４３】
この検証により、認証が成功すると、Ｓ−ＣＳＣＦの制御部２３は、次に、ＨＳＳへのＤＢＰメッセージ（ＳＡＲ）の送信処理及びＨＳＳからのＤＢＰメッセージ（ＳＡＡ）の受信処理を行う（ステップＳ１０４８）。
これにより、Ｓ−ＣＳＣＦの制御部２３は、ＨＳＳに対して、ユーザが登録されたことを知らせ、ＨＳＳからＵＥＡのユーザ情報を取得（ダウンロード）する。
【０１４４】
次に、Ｓ−ＣＳＣＦの制御部２３は、ＲＥＧＩＳＴＥＲメッセージのリクエストが成功したことを示すために、ＳＩＰの「２００ＯＫ」メッセージをＩ−ＣＳＣＦに送信する（ステップＳ１０５０）。
この「２００ＯＫ」メッセージには、ユーザＡに割り当てられているＵＲＩと、経由するＳＩＰサーバ（ＣＳＣＦ）のＵＲＩとが含まれている。
【０１４５】
Ｉ−ＣＳＣＦは、Ｓ−ＣＳＣＦから受信した「２００ＯＫ」メッセージをＰ−ＣＳＣＦに中継し（ステップＳ１０５２）、Ｐ−ＣＳＣＦは、Ｉ−ＣＳＣＦから受信した「２００ＯＫ」メッセージをＥＰＣ−ＧＷに中継する（ステップＳ１０５４）。そして、ＥＰＣ−ＧＷは、Ｐ−ＣＳＣＦから受信した「２００ＯＫ」メッセージを、ＵＥＡへと中継する（ステップＳ１０５６）。
これにより、ＵＥＡが「２００ＯＫ」メッセージを受信することで、登録処理が完了する。
【０１４６】
以降は、ステップＳ１０５８〜Ｓ１０６４に示すように、ＵＥＡから送信されたＳＩＰの「ＩＮＶＩＴＥ」メッセージが、経路として設定されたＳＩＰサーバを経由して、着信側へと送信される。この「ＩＮＶＩＴＥ」メッセージについても、ＥＰＣ−ＧＷにおいてＩＰヘッダのＤＳフィールドのＤＳＣＰ値が優先ユーザを示す値に設定される。加えて、経路として設定されたＰ−ＣＳＣＦにおいて、ＩＰヘッダのＤＳＣＰ値に基づき、「ＩＮＶＩＴＥ」メッセージのｆｒｏｍヘッダに含まれるＣＰＣパラメータ値が、優先ユーザを示す値に設定される。
【０１４７】
従って、この「ＩＮＶＩＴＥ」メッセージは、経路として設定されたＳＩＰサーバ（ＣＳＣＦ）において、ＩＰヘッダのＤＳＣＰ値又はｆｒｏｍヘッダのＣＰＣパラメータ値から優先ユーザであるユーザＡのＵＥＡからのメッセージであると識別することができる。そのため、経路として設定されたＳＩＰサーバが輻輳状態であっても、途中で破棄等されることなく優先して着信側へと中継される。
なお、「ＩＮＶＩＴＥ」メッセージに限らず、再登録時の「ＲＥＧＩＳＴＥＲ」メッセージ、ＳＭＳメッセージを送信時の「ＭＥＳＳＡＧＥ」メッセージ等の他のＳＩＰメッセージについても同様の識別情報の付与処理及び優先制御が実施される。
【０１４８】
（４）作用及び効果
本実施形態における通信システム１であれば、ＥＰＣ−ＧＷにおいて、ＵＥからＰ−ＣＳＣＦに向けて送信される、ＳＩＰメッセージを含むフレームデータに対して、該ＵＥをＥＰＣネットワークに登録時に保持した優先ユーザ設定情報に基づき、該ＵＥのユーザが優先ユーザであるか否かを識別するための識別情報を付与することができる。
具体的には、ＥＰＣ−ＧＷは、優先ユーザ設定情報に基づき、受信したフレームデータに含まれるＭＡＣヘッダの拡張フィールド又はＩＰヘッダのＤＳフィールドに識別情報を付与することができる。
【０１４９】
一方、Ｐ−ＣＳＣＦにおいて、ＥＰＣ−ＧＷからの、識別情報が付与されかつＳＩＰメッセージを含むフレームデータ（第１フレームデータＵＣＦＩ）を受信し、受信した第１フレームデータＵＣＦＩに付与された識別情報に基づき、ＳＩＰメッセージの送信元のＵＥのユーザが優先ユーザであるか否かを判定することができる。
そして、Ｐ−ＣＳＣＦにおいて、優先ユーザであると判定すると、受信したＳＩＰメッセージに応じた処理（例えば、該ＳＩＰメッセージのＩ−ＣＳＣＦへの中継処理等）を優先して制御することができる。
【０１５０】
また、Ｐ−ＣＳＣＦにおいて、優先ユーザであるか否かの判定結果に基づき、中継するＳＩＰメッセージのｆｒｏｍヘッダに含まれるＣＰＣパラメータの値を、判定結果に応じた値に設定することで、優先ユーザか否かを判定するための優先度情報を付与したフレームデータ（第２フレームデータＵＣＦＩ）を生成することができる。
一方、Ｉ−ＣＳＣＦにおいて、受信した第２フレームデータＵＣＦＩのＳＩＰメッセージのｆｒｏｍヘッダに含まれるＣＰＣパラメータの値に基づき、該ＳＩＰメッセージの送信元のＵＥのユーザが優先ユーザであるか否かを判定することができる。
【０１５１】
また、Ｉ−ＣＳＣＦにおいて、優先ユーザであると判定すると、受信したＳＩＰメッセージに応じた処理を優先して制御することができる。
また、Ｓ−ＣＳＣＦにおいて、Ｉ−ＣＳＣＦからの第３フレームデータＵＣＦＩを受信し、受信した第３フレームデータＵＣＦＩのＳＩＰメッセージのｆｒｏｍヘッダに含まれるＣＰＣパラメータ値に基づき、ＳＩＰメッセージの送信元のＵＥのユーザが優先ユーザであるか否かを判定することができる。
【０１５２】
そして、Ｓ−ＣＳＣＦにおいて、優先ユーザであると判定すると、受信したＳＩＰメッセージに応じた処理を優先して制御することができる。
以上より、ＥＰＣネットワーク内に配置されたＥＰＣ−ＧＷにおいてＳＩＰメッセージを含むフレームデータに識別情報を付与することができるので、ＩＭＳネットワーク内に配置されたＰ−ＣＳＣＦは、この識別情報から該メッセージの送信元のＵＥのユーザが優先ユーザか否かを識別することができる。従って、Ｐ−ＣＳＣＦは、初回登録後に取得するユーザ情報を用いることなく、ＥＰＣ−ＧＷから受信したフレームデータ（第１フレームデータＵＣＦＩ）に基づき、優先ユーザか否かを識別することができるので、ユーザ情報を用いた場合と比較して判定処理の処理負荷を軽減することができるという効果が得られる。
【０１５３】
また、ＥＰＣネットワーク内に配置されたＥＰＣ−ＧＷにおいて識別情報を付与するようにしたので、例えば、不正ユーザによる優先ユーザの詐称を防ぐことが可能である。これにより、信頼性の高い識別情報に基づき優先制御を実施することができるという効果が得られる。
また、Ｐ−ＣＳＣＦは、ＵＥのＩＭＳネットワークへの初回登録処理の完了前において、ＥＰＣ−ＧＷにおいて付与された識別情報に基づき、ＳＩＰメッセージの送信元のユーザが優先ユーザであるか否かを識別することができる。これにより、初回登録時のＲＥＧＩＳＴＥＲメッセージに対しても、該メッセージに応じた初回登録処理を優先して制御することができる。従って、Ｐ−ＣＳＣＦが輻輳している環境下でも、優先ユーザのＵＥに対する初回登録処理を優先して制御することができるという効果が得られる。
【０１５４】
（５）本発明との対応関係
以上説明した第１実施形態において、ＵＥが通信端末に対応し、ＥＰＣネットワークが、アクセスネットワークに対応し、ＥＰＣ−ＧＷが、中継装置に対応し、識別情報付与部１２が、識別情報付与部に対応する。
また、上記実施形態において、ＩＭＳネットワークが、サービス制御ネットワークに対応し、ＣＳＣＦが、制御装置に対応し、判定部２２が、判定部に対応し、制御部２３が、制御部に対応する。
また、上記実施形態において、ステップＳ１０６，Ｓ２０６が、識別情報付与ステップに対応し、ステップＳ３０４が、判定ステップに対応し、ステップＳ３０６が、制御ステップに対応する。
【０１５５】
（第２実施形態）
次に、図面に基づき、本発明に係る通信システム、中継装置、制御情報中継プログラム及び通信方法の第２実施形態を説明する。
上記第１実施形態では、Ｓ−ＧＷにおいて、優先ユーザ設定情報に基づきＳＩＰメッセージをデータ部に含むＩＰｖ６パケットをカプセリングしたＩＰｖ４パケットを含む送信用のフレームデータ（フレームデータＵＰＧ）に識別情報を付与する構成とした。加えて、ＰＤＮ−ＧＷにおいて、このフレームデータＵＰＧに含まれる識別情報に基づき、ＳＩＰメッセージをデータ部に含むＩＰｖ６パケットを含む送信用のフレームデータ（フレームデータＵＣＦ）に識別情報を付与する構成とした。
【０１５６】
これに対して、本実施形態では、Ｓ−ＧＷにおいて識別情報を付与せずに、ＰＤＮ−ＧＷのみで、優先ユーザ設定情報に基づき、フレームデータＵＣＦに識別情報を付与する構成とした点が上記第１実施形態と異なる。
従って、本実施形態の通信システム１の構成は、ＰＤＮ−ＧＷで行われる識別情報付与処理の内容が一部異なると共に、Ｓ−ＧＷが従来と同様の構成となる点以外は、上記第１実施形態と同様の構成となる。以下、上記第１実施形態と異なる点のみを詳細に説明し、同様の構成については、適宜説明を省略する。
【０１５７】
（６）ＰＤＮ−ＧＷのＣＰＵで行われる識別情報付与処理の処理手順
図９に基づき、本実施形態のＰＤＮ−ＧＷのＣＰＵで行われる識別情報付与処理の処理手順について説明する。図９は、本実施形態の識別情報付与処理の処理手順の一例を示すフローチャートである。
なお、図９に示す識別情報付与処理は、予め設定した周期で繰り返し実行される。
ＰＤＮ−ＧＷのＣＰＵによって、専用のプログラムが実行され識別情報付与処理が開始されると、図９に示すように、まず、ステップＳ４００へと移行する。
ここで、ステップＳ４００〜Ｓ４０２，Ｓ４０８の処理は、上記第１実施形態のステップＳ２００〜Ｓ２０２，Ｓ２０８の処理と同様となるので説明を省略する。
【０１５８】
以下、ステップＳ４０４の処理から説明する。
ステップＳ４０２からステップＳ４０４に移行した場合は、識別情報付与部１２において、メモリから、ＳＩＰメッセージの送信元のＵＥのユーザに対応する優先ユーザ設定情報を取得して、ステップＳ４０６に移行する。
なお、優先ユーザ設定情報の取得処理は、上記第１実施形態のＳ−ＧＷの識別情報付与部１２の取得処理と同様に、ＥＰＣネットワークへのＵＥの登録時に予め取得してメモリ（不図示）に保持したユーザ情報から取得する処理となる。
【０１５９】
ステップＳ４０６では、識別情報付与部１２において、ステップＳ４０４で取得した優先ユーザ設定情報に基づき、Ｐ−ＣＳＣＦへと中継するＳＩＰメッセージを含むフレームデータ（フレームデータＵＣＦ）に、該メッセージの送信元のＵＥのユーザが優先ユーザであるか否かを識別するための識別情報を付与する。そして、識別情報を付与したフレームデータ（第１フレームデータＵＣＦＩ）を送信部１３に出力して、ステップＳ４０８に移行する。
【０１６０】
本実施形態において、識別情報付与部１２は、フレームデータＵＣＦに含まれる、予め設定した通信プロトコルのプロトコルヘッダに、識別情報を付与する。
具体的には、識別情報付与部１２は、図５（ｂ）に示す構成のフレームデータＵＣＦの、レイヤ１〜２に対応するＭＡＣヘッダ、又はレイヤ３に対応するＩＰヘッダのうち、予め設定したプロトコルヘッダに識別情報を付与する。
【０１６１】
まず、フレームデータＵＣＦのＭＡＣヘッダに識別情報を付与する例を説明する。
本実施形態のＰＤＮ−ＧＷの識別情報付与部１２は、ＳＩＰメッセージの送信元のＵＥのユーザが、優先ユーザであると判定すると、該メッセージを含むフレームデータＵＣＦのＭＡＣヘッダに含まれる拡張フィールドの優先度を設定するパラメータを、予め設定した優先ユーザを示す数値に設定する。
一方、本実施形態のＰＤＮ−ＧＷの識別情報付与部１２は、ＳＩＰメッセージの送信元のＵＥのユーザが、一般ユーザであると判定すると、該メッセージを含むフレームデータＵＣＦのＭＡＣヘッダに含まれる拡張フィールドの優先度を設定するパラメータを、予め設定した一般ユーザを示す数値に設定する。
【０１６２】
次に、フレームデータＵＣＦのＩＰヘッダに識別情報を付与する例を説明する。
本実施形態のＰＤＮ−ＧＷの識別情報付与部１２は、ＳＩＰメッセージの送信元のＵＥのユーザが、優先ユーザであると判定すると、該メッセージを含むフレームデータＵＣＦに含まれるＤＳフィールドのＤＳＣＰ値を、予め設定した優先ユーザを示す数値に設定する。
一方、本実施形態のＰＤＮ−ＧＷの識別情報付与部１２は、ＳＩＰメッセージの送信元のＵＥのユーザが、一般ユーザであると判定すると、該メッセージを含むフレームデータＵＣＦに含まれるＤＳフィールドのＤＳＣＰ値を、予め設定した一般ユーザを示す数値に設定する。
【０１６３】
（７）通信システム１の動作例
次に、図９を参照しつつ、図８に基づき、本実施形態の通信システム１の動作例を説明する。
なお、ＥＰＣ−ＧＷで行われる識別情報付与処理（ステップＳ１００４，Ｓ１０３２）以外は、上記第１実施形態と同様の処理となるので説明を省略する。
ＥＰＣ−ＧＷでは、Ｐ−ＣＳＣＦへと中継するＵＥＡからの初回登録時のＲＥＧＩＳＴＥＲメッセージを含むフレームデータを受信すると、このフレームデータに基づき、識別情報付与処理を実施する（ステップＳ１００４）。
【０１６４】
具体的には、まず、Ｓ−ＧＷにおいて、ｅＮＢから送信された、初回登録時のＲＥＧＩＳＴＥＲメッセージを含むＩＰｖ６パケットをＩＰｖ４ヘッダ及びＴＥＩＤによってカプセリングしたフレームデータ（フレームデータＵＳＧ）が受信される（ステップＳ４００のＹｅｓ）。
これにより、Ｓ−ＧＷは、データ転送部１１において、受信したフレームデータから、初回登録時のＲＥＧＩＳＴＥＲメッセージをデータ部に含むＩＰｖ６パケットを取り出す。そして、取り出したＩＰｖ６パケットをＩＰｖ４ヘッダ及びＧＲＥ  Ｋｅｙによって再度カプセリングして、フレームデータＵＰＧを生成する。そして、このフレームデータＵＰＧを、Ｓ−ＧＷの送信部１３によって、伝達経路として設定されたＰＤＮ−ＧＷへと送信する。
【０１６５】
ＰＤＮ−ＧＷは、Ｓ−ＧＷからのフレームデータＵＰＧを受信すると、受信したフレームデータＵＰＧに基づき、識別情報付与処理を実施する。
具体的には、ＰＤＮ−ＧＷは、データ転送部１１において、受信したフレームデータＵＰＧからＩＰｖ６パケットを取り出す。そして、取り出したＩＰｖ６パケットを含むフレームデータＵＣＦを生成する（ステップＳ４０２）。
【０１６６】
一方、ＰＤＮ−ＧＷは、識別情報付与部１２において、メモリからユーザＡの優先ユーザ設定情報を取得し（ステップＳ４０４）、取得した優先ユーザ設定情報に基づき、フレームデータＵＣＦに含まれるＩＰｖ６ヘッダのＤＳフィールドのＤＳＣＰ値を、予め設定した優先ユーザを示す値に設定する。このようにして、フレームデータＵＣＦに識別情報の付与された構成の第１フレームデータＵＣＦＩを生成する（ステップＳ４０６）。
【０１６７】
そして、Ｓ−ＧＷの送信部１３によって、識別情報付与部１２において生成した第１フレームデータＵＣＦＩが、上記ステップＳ４０８の処理を経て、宛先のＰ−ＣＳＣＦへと送信される（ステップＳ１００６）。
ここで、本実施形態のステップＳ１０３２の動作は、処理対象が、信用情報を含む新たなＲＥＧＩＳＴＥＲメッセージを含むフレームデータとなるだけで、本実施形態の上記ステップＳ１００４の動作と同様となるので説明を省略する。
【０１６８】
（８）作用及び効果
本実施形態における通信システム１は、上記第１実施形態の作用及び効果に加えて、以下の作用及び効果を奏する。
即ち、本実施形態における通信システム１では、ＰＤＮ−ＧＷにおいて、ＵＥからＰ−ＣＳＣＦに向けて送信される、ＳＩＰメッセージを含むフレームデータＵＣＦに対して、該ＵＥのユーザが優先ユーザであるか否かを識別するための識別情報を付与することができる。
これにより、Ｓ−ＧＷにおいて、識別情報を付与する処理を行わなくてよいため、既存のＳ−ＧＷに対して何ら改良を加えることなく、比較的低コストで通信システム１を構成することができるという効果が得られる。
【０１６９】
（９）本発明との対応関係
以上説明した第２実施形態において、ＥＰＣネットワークが、アクセスネットワークに対応し、ＥＰＣ−ＧＷが、中継装置に対応し、識別情報付与部１０が、識別情報付与部に対応する。
また、上記実施形態において、ＩＭＳネットワークが、サービス制御ネットワークに対応し、ＣＳＣＦが、制御装置に対応し、判定部２２が、判定部に対応し、制御部２３が、制御部に対応する。
また、上記実施形態において、ステップＳ４０６が、識別情報付与ステップに対応し、ステップＳ３０４が、判定ステップに対応し、ステップＳ３０６が、制御ステップに対応する。
【０１７０】
（１０）変形例
なお、上記第１実施形態では、Ｓ−ＧＷからＰＤＮ−ＧＷへと送信する、ＳＩＰメッセージを含むフレームデータＵＰＧについて、該フレームデータＵＰＧに含まれるＭＡＣヘッダの拡張フィールド又はＩＰｖ４ヘッダのＤＳフィールドを利用して識別情報を付与する構成としたが、この構成に限らない。
例えば、ＩＰｖ４ヘッダ及びＧＲＥ  ＫｅｙによってカプセリングされたＩＰｖ６ヘッダのＤＳフィールドを利用して識別情報を付与する構成としてもよい。この構成であれば、ＰＤＮ−ＧＷにおいて、識別情報を付与する処理を行わなくてよくなるので、既存のＰＤＮ−ＧＷに対して何ら改良を加えることなく、比較的低コストで通信システム１を構成することができるという効果が得られる。
【０１７１】
また、上記各実施形態において、Ｐ−ＣＳＣＦ、Ｉ−ＣＳＣＦ及びＳ−ＣＳＣＦの全てにおいて優先制御を行う構成としたが、この構成に限らない。例えば、Ｐ−ＣＳＣＦのみが優先制御を行う構成、Ｐ−ＣＳＣＦ及びＩ−ＣＳＣＦのみが優先制御を行う構成とするなど他の構成としてもよい。
また、上記各実施形態において、アクセスネットワークをＥＰＣネットワークとし、サービス制御ネットワークをＩＭＳネットワークとする構成としたが、この構成に限らない。
【０１７２】
例えば、ＥＰＣネットワークのようなアクセスネットワークを介して、ＩＭＳネットワークのようなサービス制御ネットワーク（例えば、ＩＭＳをベースとしたＮＧＮ（Next Generation Network）など）に接続する構成であれば、他の構成としてもよい。
また、上記各実施形態において、ＵＥを、ＩＭＳ及びＥＰＣネットワークに対応した移動通信端末とする構成としたが、この構成に限らない。例えば、ＥＰＣネットワーク又はＥＰＣとは異なるアクセスネットワークを介してＩＭＳネットワークに接続する固定通信端末など他の端末を含む構成としてもよい。
【０１７３】
また、上記実施形態は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記実施形態に限定されるものではなく、本発明の目的を達成できる範囲での変形、改良、均等物等は本発明に含まれるものである。
【符号の説明】
【０１７４】
１            通信システム
１０，２０      受信部
１１          データ転送部
２１          ＳＩＰメッセージ処理部
１２            識別情報付与部
１３，２４      送信部
２３            制御部
ＵＰＧ，ＵＣＦ  フレームデータ
【図１】
2015023545.tif 000003
【図２】
2015023545.tif 000004
【図３】
2015023545.tif 000005
【図４】
2015023545.tif 000006
【図５】
2015023545.tif 000007
【図６】
2015023545.tif 000008
【図７】
2015023545.tif 000009
【図８】
2015023545.tif 000010
【図９】
2015023545.tif 000011
【図１０】
2015023545.tif 000012